(57)【要約】【課題】表示品位に優れた液晶表示装置を提供する。【解決手段】液晶表示装置は、第１領域と、第２領域と、液晶層と、複数の画素ＰＸと、を備える。副画素ＳＰは、第１開口領域Ｊ１と、第２開口領域Ｊ２とで形成される一つの開口領域を有する。複数の画素ＰＸは、第１領域に位置した第１画素と、第１領域と第２領域との境界を跨いで位置した第２画素ＰＸ２と、を含んでいる。色が互いに同一である副画素ＳＰの開口領域Ｊ同士を比較した場合、第２画素ＰＸ２の開口領域Ｊは、第１画素の開口領域より小さい。基準線ＲＬは、第１画素と前記第２画素とで同一直線状である。【選択図】図１０
2018091937.tif 000002
【特許請求の範囲】
【請求項１】
第１領域と、
前記第１領域の外側の第２領域と、
少なくとも前記第１領域に位置した液晶層と、
それぞれ互いに色の異なる複数の副画素を有する複数の画素と、を備え、
各々の前記副画素は、第１開口領域と、液晶分子の回転方向が前記第１開口領域とは異なる第２開口領域と、で形成される一つの開口領域を有し、
前記複数の画素は、前記第１領域に位置した第１画素と、前記第１領域と前記第２領域との境界を跨いで位置した第２画素と、を含み、
色が互いに同一である前記副画素の前記開口領域同士を比較した場合、
前記第２画素の前記開口領域は、前記第１画素の前記開口領域より小さく、
前記第１開口領域と前記第２開口領域の境界を表す基準線は、前記第１画素と前記第２画素とで同一直線状である、
液晶表示装置。
【請求項２】
前記副画素の各々の前記開口領域は、複数のドメインを有し、
前記開口領域同士を比較する際、さらに、ダイレクタの回転方向が互いに同一である前記ドメイン同士を比較した場合、
前記第２画素の前記ドメインのサイズは、前記第１画素の前記ドメインのサイズより小さい、
請求項１に記載の液晶表示装置。
【請求項３】
前記境界は、直線状の第１境界と、前記第１境界に繋がるラウンド状の第２境界と、を有し、
前記第２画素は、前記第２境界を跨いで位置している、
請求項１に記載の液晶表示装置。
【請求項４】
前記複数の画素は、前記第１領域と前記第２領域との境界を跨いで位置し前記第２画素より前記第２領域側に位置する割合の大きい第３画素をさらに含み、
色が互いに同一である前記副画素に設けられ液晶分子の回転状態が互いに同一である前記開口領域同士を比較した場合、
前記第３画素の前記開口領域は、前記第２画素の前記開口領域より小さい、
請求項１に記載の液晶表示装置。
【請求項５】
各々の前記副画素において、前記第１開口領域と前記第２開口領域とは連続して設けられている、
請求項１に記載の液晶表示装置。
【請求項６】
前記複数の画素は、互いに交差する第１方向及び第２方向に並べられ、
前記第１開口領域は、前記第１方向及び前記第２方向と異なる第３方向に延出し、
前記第２開口領域は、前記第２方向に前記第１開口領域から連続して設けられ、前記第１方向、前記第２方向及び前記第３方向と異なる第４方向に延出している、
請求項１に記載の液晶表示装置。
【請求項７】
前記複数の画素は、互いに交差する第１方向及び第２方向に並べられ、
各々の前記副画素の前記第１開口領域と前記第２開口領域とは、前記第２方向に連続して設けられ、
各々の前記画素において、複数の第１開口領域の前記第２方向の第１長さは互いに同一であり、複数の第２開口領域の前記第２方向の第２長さは互いに同一であり、
前記第２画素の前記第１長さは、前記第１画素の前記第１長さより短く、
前記第２画素の前記第２長さは、前記第１画素の前記第２長さより短い、
請求項１に記載の液晶表示装置。
【請求項８】
前記複数の画素は、互いに交差する第１方向及び第２方向に並べられ、
各々の前記副画素の前記第１開口領域と前記第２開口領域とは、前記第２方向に連続して設けられ、
各々の前記画素において、複数の第１開口領域の前記第２方向の第１長さは互いに同一であり、複数の第２開口領域の前記第２方向の第２長さは互いに同一であり、
各々の前記画素において、前記第１長さと前記第２長さとは互いに同一である、
請求項１に記載の液晶表示装置。
【請求項９】
複数の第１遮光層をさらに備え、
前記複数の画素は、互いに交差する第１方向及び第２方向に並べられ、
各々の前記副画素の前記第１開口領域と前記第２開口領域とは、前記第２方向に連続して設けられ、
前記複数の第１遮光層は、前記第１方向に延出し、前記第２方向に間隔を置いて並べられ、複数の開口領域の隙間に設けられ、
前記第２方向に隣合う一対の第１遮光層の前記第２方向の距離において、前記第２画素を通る前記距離は、前記第１画素を通る前記距離より短い、
請求項１に記載の液晶表示装置。
【請求項１０】
前記複数の画素が位置する表示領域と、
前記第２領域のうち前記複数の画素が位置していない非表示領域と、をさらに備える、
請求項１に記載の液晶表示装置。
【請求項１１】
第１領域と、
前記第１領域の外側の第２領域と、
少なくとも前記第１領域に位置した液晶層と、
第１方向に並べられ互いに色の異なる複数の副画素を有し、前記第１方向及び前記第１方向に交差する第２方向に並べられた複数の画素と、を備え、
前記第２方向に隣合う一対の画素のうち、一方の画素の前記複数の副画素は第１開口領域を前記副画素の中央部に有し、他方の画素の前記複数の副画素は液晶分子の回転方向に関して前記第１開口領域とは異なる第２開口領域を前記副画素の中央部に有し、
前記複数の画素は、前記第１領域に位置した第１画素と、前記第１領域と前記第２領域との境界を跨いで位置した第２画素と、を含み、
色が互いに同一である前記副画素に設けられた前記開口領域同士を比較した場合、
前記第２画素の前記開口領域は、前記第１画素の前記開口領域より小さい、
液晶表示装置。
【請求項１２】
前記境界は、直線状の第１境界と、前記第１境界に繋がるラウンド状の第２境界と、を有し、
前記第２画素は、前記第２境界を跨いで位置している、
請求項１１に記載の液晶表示装置。
【請求項１３】
前記複数の画素は、前記第１領域と前記第２領域との境界を跨いで位置し前記第２画素より前記第２領域側に位置する割合の大きい第３画素をさらに含み、
色が互いに同一である前記副画素に設けられた前記開口領域同士を比較した場合、
前記第３画素の前記開口領域は、前記第２画素の前記開口領域より小さい、
請求項１１に記載の液晶表示装置。
【請求項１４】
前記第１方向に並んだ前記第１画素と前記第２画素とにおいて、前記第１画素の前記開口領域の前記第２方向の中心の位置と、前記第２画素の前記開口領域の前記第２方向の中心の位置と、は前記第１方向に揃っている、
請求項１１に記載の液晶表示装置。
【請求項１５】
前記第１開口領域は、前記第１方向及び前記第２方向と異なる第３方向に延出し、
前記第２開口領域は、前記第１方向、前記第２方向及び前記第３方向と異なる第４方向に延出している、
請求項１１に記載の液晶表示装置。
【請求項１６】
各々の前記画素において、複数の開口領域の前記第２方向の長さは互いに同一であり、
前記第２画素の前記長さは、前記第１画素の前記長さより短い、
請求項１１に記載の液晶表示装置。
【請求項１７】
前記第１方向に延出し、前記第２方向に間隔を置いて並べられ、複数の開口領域の隙間に設けられた複数の第１遮光層をさらに備え、
前記第２方向に隣合う一対の第１遮光層の前記第２方向の距離において、前記第２画素を通る前記距離は、前記第１画素を通る前記距離より短い、
請求項１１に記載の液晶表示装置。
【請求項１８】
前記複数の画素が位置する表示領域と、
前記第２領域のうち前記複数の画素が位置していない非表示領域と、をさらに備える、
請求項１１に記載の液晶表示装置。
【請求項１９】
第１領域と、
前記第１領域の外側の第２領域と、
少なくとも前記第１領域に位置した液晶層と、
それぞれ互いに色の異なる複数の副画素を有する複数の画素と、を備え、
各々の前記副画素は、第１開口領域と、第２開口領域と、で形成される一つの開口領域を有し、前記第1開口領域は第3方向に延伸し、前記第2開口領域は前記第3方向と異なる第4方向に延伸しており、
前記複数の画素は、前記第１領域に位置した第１画素と、前記第１領域と前記第２領域との境界を跨いで位置した第２画素と、を含み、
色が互いに同一である前記副画素の前記開口領域同士を比較した場合、
前記第２画素の前記開口領域は、前記第１画素の前記開口領域より小さく、
前記第１開口領域と前記第２開口領域の境界を表す基準線は、前記副画素の中央部である、
液晶表示装置。
【発明の詳細な説明】
【技術分野】
【０００１】
本発明の実施形態は、液晶表示装置に関する。
【背景技術】
【０００２】
平面表示装置として代表的な液晶表示装置は、軽量、薄型、低消費電力などの特徴を生かして、パーソナルコンピュータやテレビなどのＯＡ機器などの表示装置として各種分野で利用されている。近年では、液晶表示装置は、携帯電話などの携帯端末機器や、カーナビゲーション装置、ゲーム機などの表示装置として利用されている。  
また、画像を表示する表示領域の形状は、四隅が直角の矩形状に留まらず、円形や楕円形などといった非矩形への対応が望まれている。
【先行技術文献】
【特許文献】
【０００３】
【特許文献１】特開２０１０−２８６８２５号公報
【特許文献２】国際公開第２００９／０５７３４２号
【発明の概要】
【発明が解決しようとする課題】
【０００４】
本実施形態は、表示品位に優れた液晶表示装置を提供する。
【課題を解決するための手段】
【０００５】
一実施形態に係る液晶表示装置は、
第１領域と、
前記第１領域の外側の第２領域と、
少なくとも前記第１領域に位置した液晶層と、
それぞれ互いに色の異なる複数の副画素を有する複数の画素と、を備え、
各々の前記副画素は、第１開口領域と、液晶分子の回転方向が前記第１開口領域とは異なる第２開口領域と、で形成される一つの開口領域を有し、
前記複数の画素は、前記第１領域に位置した第１画素と、前記第１領域と前記第２領域との境界を跨いで位置した第２画素と、を含み、
色が互いに同一である前記副画素の前記開口領域同士を比較した場合、
前記第２画素の前記開口領域は、前記第１画素の前記開口領域より小さく、
前記第１開口領域と前記第２開口領域の境界を表す基準線は、前記第１画素と前記第２画素とで同一直線状である。
【０００６】
また、一実施形態に係る液晶表示装置は、
第１領域と、
前記第１領域の外側の第２領域と、
少なくとも前記第１領域に位置した液晶層と、
第１方向に並べられ互いに色の異なる複数の副画素を有し、前記第１方向及び前記第１方向に交差する第２方向に並べられた複数の画素と、を備え、
前記第２方向に隣合う一対の画素のうち、一方の画素の前記複数の副画素は第１開口領域を前記副画素の中央部に有し、他方の画素の前記複数の副画素は液晶分子の回転方向に関して前記第１開口領域とは異なる第２開口領域を前記副画素の中央部に有し、
前記複数の画素は、前記第１領域に位置した第１画素と、前記第１領域と前記第２領域との境界を跨いで位置した第２画素と、を含み、
色が互いに同一である前記副画素に設けられた前記開口領域同士を比較した場合、
前記第２画素の前記開口領域は、前記第１画素の前記開口領域より小さい。
【０００７】
また、一実施形態に係る液晶表示装置は、
第１領域と、
前記第１領域の外側の第２領域と、
少なくとも前記第１領域に位置した液晶層と、
それぞれ互いに色の異なる複数の副画素を有する複数の画素と、を備え、
各々の前記副画素は、第１開口領域と、第２開口領域と、で形成される一つの開口領域を有し、前記第1開口領域は第3方向に延伸し、前記第2開口領域は前記第3方向と異なる第4方向に延伸しており、
前記複数の画素は、前記第１領域に位置した第１画素と、前記第１領域と前記第２領域との境界を跨いで位置した第２画素と、を含み、
色が互いに同一である前記副画素の前記開口領域同士を比較した場合、
前記第２画素の前記開口領域は、前記第１画素の前記開口領域より小さく、
前記第１開口領域と前記第２開口領域の境界を表す基準線は、前記副画素の中央部である。
【図面の簡単な説明】
【０００８】
【図１】図１は、第１の実施形態の表示装置の外観を示す平面図である。
【図２】図２は、図１に示した表示パネルに信号源が実装された一構成例を示す平面図である。
【図３】図３は、図１に示した表示パネルの基本構成及び等価回路を示す図である。
【図４】図４は、図１に示した第１基板を第２基板の側から見たときの副画素の一構成例を示す平面図である。
【図５】図５は、副画素に配置される画素電極の一構成例を示す平面図である。
【図６】図６は、図４の線ＶＩ−ＶＩに沿った表示パネルを示す断面図である。
【図７】図７は、上記表示パネルの表示領域の１つのラウンド部を含む領域を示す平面図であり、理想的な表示領域と複数の画素との関係を説明するための図である。
【図８】図８は、図７に示した表示パネルの表示領域の一部を示す平面図であり、遮光層と、複数の画素の開口と、を示す図である。
【図９】図９は、図７及び図８に示した第１画素を示す平面図であり、走査線、信号線、画素電極、及び遮光層を示す図である。
【図１０】図１０は、図７及び図８に示した第２画素を示す平面図であり、走査線、信号線、画素電極、及び遮光層を示す図である。
【図１１】図１１は、図７及び図８に示した第３画素を示す平面図であり、走査線、信号線、画素電極、及び遮光層を示す図である。
【図１２】図１２は、図７及び図８に示した第４画素を示す平面図であり、走査線、信号線、画素電極、及び遮光層を示す図である。
【図１３】図１３は、図７及び図８に示した第５画素を示す平面図であり、走査線、信号線、画素電極、及び遮光層を示す図である。
【図１４】図１４は、上記第１の実施形態の変形例の表示装置の第６画素を示す平面図であり、走査線、信号線、画素電極、及び遮光層を示す図である。
【図１５】図１５は、第２の実施形態の表示装置の第１画素を示す平面図であり、走査線、信号線、画素電極、及び遮光層を示す図である。
【図１６】図１６は、上記第２の実施形態の表示装置の第２画素を示す平面図であり、走査線、信号線、画素電極、及び遮光層を示す図である。
【図１７】図１７は、上記第２の実施形態の変形例の表示装置の第２画素を示す平面図であり、走査線、信号線、画素電極、及び遮光層を示す図である。
【図１８】図１８は、第３の実施形態の表示装置の表示パネルにおける画素配列を示す図である。
【図１９】図１９は、上記第３の実施形態に係る表示パネルの１個の単位画素を示す平面図であり、走査線、信号線、画素電極、及び遮光層を示す図である。
【図２０】図２０は、上記第３の実施形態に係る第２画素を示す平面図であり、走査線、信号線、画素電極、及び遮光層を示す図である。
【図２１】図２１は、上記第３の実施形態に係る表示パネルの表示領域の１つのラウンド部を含む領域を示す平面図であり、遮光層と、複数の画素の開口と、を示す図である。
【図２２】図２２は、上記第３の実施形態の変形例に係る表示装置の表示パネルの第２画素を示す平面図であり、走査線、信号線、画素電極、及び遮光層を示す図である。
【図２３】図２３は、第４の実施形態に係る表示装置の表示パネルの表示領域の１つのラウンド部を含む領域を示す平面図であり、遮光層と、複数の画素の開口と、を示す図である。
【図２４】図２４は、上記第４の実施形態に係る表示装置において、画素電極に印加する画像信号の電圧値の絶対値に対する光透過率の変化をグラフで示した図である。
【図２５】図２５は、画素に配置される画素電極と共通電極との構成例を示す平面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
始めに、本発明の実施形態の基本構想について説明する。  
カラー表示タイプの液晶表示装置においては、画素は、例えば、赤色、緑色及び青色の副画素を有している。画素を構成する副画素の一部が、液晶表示パネルの外側の遮光部材によって遮光された場合、画素の色バランスが崩れ、所望の色とは異なる色に表示される恐れがある。例えば、赤色の副画素の一部のみが遮光された場合、画素全体における赤色の開口率（光透過率又は光反射率）が低下し、所望の色表示ができなくなる。
【００１１】
このような色ずれを抑制するために、副画素の一部が遮光された画素全体をブラックマトリクスなどの遮光層によって遮光してしまう手段もあるが、その分、表示領域が狭くなってしまう。また、表示領域のエッジがドットパターンによって形成されるため、表示領域のラウンド部の輪郭の滑らかさが不足し、見栄えが悪いといった課題もある。言うまでもないが、ラウンド部の輪郭は、非直線状であり、湾曲している。
【００１２】
そこで、本発明の各実施形態においては、上記課題の原因を解明し、上記課題を解決することにより、表示品位に優れた液晶表示装置を得ることができるものである。次に、上記課題を解決するための手段及び手法について説明する。
【００１３】
（第１の実施形態）  
まず、第１の実施形態に係る表示装置について説明する。  
図１は、第１の実施形態の表示装置ＤＳＰの外観を示す平面図である。ここでは、互いに交差する第１方向Ｘ及び第２方向Ｙによって規定されるＸ−Ｙ平面における表示装置ＤＳＰの平面図を示している。図中の第３方向Ｚは、第１方向Ｘ及び第２方向Ｙと交差する方向である。一例では、第１方向Ｘ、第２方向Ｙ、及び、第３方向Ｚは、互いに直交しているが、９０度以外の角度で互いに交差していてもよい。本明細書において、第３方向Ｚを示す矢印の先端に向かう方向を上方（あるいは、単に上）と称し、矢印の先端から逆に向かう方向を下方（あるいは、単に下）と称する。また、第３方向Ｚを示す矢印の先端側に表示装置ＤＳＰを観察する観察位置があるものとし、この観察位置からＸ−Ｙ平面に向かって見ることを平面視という。
【００１４】
本実施形態においては、表示装置ＤＳＰは、液晶表示装置である。表示装置ＤＳＰは、表示パネルＰＮＬなどを備えている。表示パネルＰＮＬは、液晶表示パネルであり、第１基板ＳＵＢ１と、第２基板ＳＵＢ２と、液晶層（後述する液晶層ＬＣ）と、を備えている。第２基板ＳＵＢ２は、第１基板ＳＵＢ１に対向している。表示パネルＰＮＬは、画像を表示する表示領域ＤＡと、表示領域ＤＡの外側の非表示領域ＮＤＡと、を備えている。例えば、非表示領域ＮＤＡは、表示領域ＤＡを囲み、額縁状の形状を有している。非表示領域ＮＤＡは、ＩＣチップやフレキシブル回路基板などの信号源が実装される実装領域ＭＡを含んでいる。
【００１５】
表示パネルＰＮＬの外観に注目すると、第１基板ＳＵＢ１は、第１方向Ｘに延出した一対の短辺ＳＳ１１及びＳＳ１２と、第２方向Ｙに延出した一対の長辺ＬＳ１１及びＬＳ１２と、４つのラウンド部Ｒ１１乃至Ｒ１４と、を有している。第２基板ＳＵＢ２は、短辺ＳＳ１１と重なる短辺ＳＳ２１と、長辺ＬＳ１１及びＬＳ１２とそれぞれ重なる長辺ＬＳ２１及びＬＳ２２と、ラウンド部Ｒ１１及びＲ１２とそれぞれ重なるラウンド部Ｒ２１及びＲ２２と、短辺ＳＳ２２と、を有している。短辺ＳＳ２２は、短辺ＳＳ１２とは重なっていない。より詳細には、第２基板ＳＵＢ２は短辺２２と長辺ＬＳ２１とを接続するラウンド部Ｒ２３と、短辺ＳＵＢ２２と長辺ＬＳ２２とを接続するラウンド部Ｒ２４をと有し、ラウンド部Ｒ２３はラウンド部Ｒ１３に一部重なり、ラウンド部Ｒ２４はラウンド部Ｒ１４に一部重なるように形成される。実装領域ＭＡは、第１基板ＳＵＢ１のうち短辺ＳＳ１２と短辺ＳＳ２２との間に位置している。  
表示領域ＤＡは、第１方向Ｘに沿って延出した一対の短辺ＳＳ１及びＳＳ２と、第２方向Ｙに沿って延出した一対の長辺ＬＳ１及びＬＳ２と、４つのラウンド部Ｒ１乃至Ｒ４と、を有している。短辺ＳＳ１及びＳＳ２、及び、長辺ＬＳ１及びＬＳ２は、隣り合うラウンド部を繋ぐ直線部に相当する。  
より詳細には、表示領域ＤＡの境界を示すラウンド部Ｒと、第１基板ＳＵＢ１及び第２基板ＳＵＢ２のラウンド部Ｒを、それぞれ定義する曲率半径は対応するラウンド部Ｒでそれぞれ一致しても良いし、それぞれ異なった曲率半径であってもよい。
また、実装領域ＭＡの幅、すなわち短辺ＳＳ１２と短辺ＳＳ２２との間隔は、非表示領域の長辺側の幅、すなわち長辺ＬＳ１１と長辺ＬＳ２１との間隔（長辺ＬＳ１２と長辺ＬＳ２２との間隔）と比較して同程度もしくはそれ以下の幅となっている。
【００１６】
本実施形態の表示パネルＰＮＬは、第１基板ＳＵＢ１の背面側からの光を選択的に透過させることで画像を表示する透過表示機能を備えた透過型の表示パネル、第２基板ＳＵＢ２の前面側からの光を選択的に反射させることで画像を表示する反射表示機能を備えた反射型の表示パネル、あるいは、透過表示機能及び反射表示機能を備えた半透過型の表示パネルの何れであってもよい。
【００１７】
図２は、図１に示した表示パネルＰＮＬに信号源が実装された一構成例を示す平面図である。  
図２に示すように、表示装置ＤＳＰは、表示パネルＰＮＬの実装領域ＭＡに実装されたフレキシブル回路基板Ｆと、フレキシブル回路基板Ｆに実装されたＩＣチップＣＰと、を備えている。ＩＣチップＣＰは、例えば、画像表示に必要な信号を出力するディスプレイドライバＤＤを内蔵している。図中において、ＩＣチップＣＰは一点鎖線で示し、ディスプレイドライバＤＤは破線で示し、いわゆるＣＯＦ（Ｃｈｉｐ  ｏｎ  Ｆｉｌｍ）の構造となっている。ここでのディスプレイドライバＤＤは、後述する信号線駆動回路ＳＤ、走査線駆動回路ＧＤ、及び共通電極駆動回路ＣＤの少なくとも一部を含むものである。なお、図示した例に限らず、ＩＣチップＣＰは、実装領域ＭＡに実装されている、いわゆるＣＯＧ（Ｃｈｉｐ  ｏｎ  Ｇｒａｓｓ）の構造であってもよい。
【００１８】
図３は、図１に示した表示パネルＰＮＬの基本構成及び等価回路の概要を示す図である。  
図３に示すように、表示パネルＰＮＬは、表示領域ＤＡにおいて、複数の副画素ＳＰを備えている。複数の副画素ＳＰは、第１方向Ｘ及び第２方向Ｙに並べられ、マトリクス状に配置されている。本実施形態において、第１方向Ｘに隣合う３個の副画素ＳＰは、１つの画素を構成している。また、表示パネルＰＮＬは、表示領域ＤＡにおいて、複数本の走査線Ｇ（Ｇ１〜Ｇｎ）、複数本の信号線Ｓ（Ｓ１〜Ｓｍ）、共通電極ＣＥなどを備えている。走査線Ｇは、各々第１方向Ｘに延出し、第２方向Ｙに間隔を置いて並んでいる。信号線Ｓは、各々第２方向Ｙに延出し、第１方向Ｘに間隔を置いて並んでいる。なお、走査線Ｇ及び信号線Ｓは、必ずしも直線的に延出していなくてもよく、それらの一部が屈曲していてもよい。共通電極ＣＥは、複数の副画素ＳＰにわたって配置されている。
【００１９】
走査線Ｇは、走査線駆動回路ＧＤに接続されている。信号線Ｓは、信号線駆動回路ＳＤに接続されている。共通電極ＣＥは、共通電極駆動回路ＣＤに接続されている。信号線駆動回路ＳＤ、走査線駆動回路ＧＤ、及び共通電極駆動回路ＣＤは、非表示領域ＮＤＡにおいて、第１基板ＳＵＢ１上に形成されてもよいし、これらの一部或いは全部が図２に示したＩＣチップＣＰに内蔵されていてもよい。一例では、走査線駆動回路ＧＤは、図１に破線で示したように、長辺ＬＳ１と長辺ＬＳ１１との間、及び、長辺ＬＳ２と長辺ＬＳ１２との間に設けられる。但し、各駆動回路のレイアウトは、図示した例に限られるものではない。
【００２０】
各副画素ＳＰは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ副画素ＳＰの各々におけるスイッチング素子ＳＷと接続されている。信号線Ｓは、第２方向Ｙに並んだ副画素ＳＰの各々におけるスイッチング素子ＳＷと接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。保持容量ＣＳは、例えば、共通電極ＣＥと同電位の電極、及び、画素電極ＰＥと同電位の電極の間に形成される。
【００２１】
なお、表示パネルＰＮＬの詳細な構成については説明を省略するが、基板主面の法線に沿った縦電界を利用する表示モード、あるいは、基板主面の法線に対して斜め方向に傾斜した傾斜電界を利用する表示モードでは、画素電極ＰＥが第１基板ＳＵＢ１に備えられる一方で、共通電極ＣＥが第２基板ＳＵＢ２に備えられる。また、基板主面に沿った横電界を利用する表示モードでは、画素電極ＰＥ及び共通電極ＣＥの双方が第１基板ＳＵＢ１に備えられている。さらには、表示パネルＰＮＬは、上記の縦電界、横電界、及び、傾斜電界を適宜組み合わせて利用する表示モードに対応した構成を有していても良い。なお、ここでの基板主面とは、第１方向Ｘ及び第２方向Ｙによって規定されるＸ−Ｙ平面に相当する。
【００２２】
図４は、図１に示した第１基板ＳＵＢ１を第２基板ＳＵＢ２の側から見たときの副画素ＳＰの一構成例を示す平面図である。なお、ここでは、説明に必要な構成のみを図示しており、画素電極や共通電極の図示を省略している。  
図４に示すように、第１基板ＳＵＢ１は、走査線Ｇ１及びＧ２、信号線Ｓ１及びＳ２、スイッチング素子ＳＷなどを備えている。
【００２３】
走査線Ｇ１及びＧ２は、第２方向Ｙに間隔をおいて配置され、それぞれ第１方向Ｘに延出している。信号線Ｓ１及びＳ２は、第１方向Ｘに間隔をおいて配置され、それぞれ第２方向Ｙに延出している。図示した例では、信号線Ｓ１及びＳ２の一部が屈曲しているが、第２方向Ｙに沿って直線状に延出していてもよい。副画素ＳＰは、走査線Ｇ１及びＧ２と信号線Ｓ１及びＳ２とが成すマス目の領域に相当する。なお、副画素ＳＰの形状は、図示した例に限らず、第２方向Ｙに延出した長方形状などであってもよく、適宜に変更することが可能である。
【００２４】
スイッチング素子ＳＷは、走査線Ｇ１及び信号線Ｓ１と電気的に接続されている。図示した例のスイッチング素子ＳＷは、ダブルゲート構造を有している。スイッチング素子ＳＷは、半導体層ＳＣ及び中継電極ＲＥを備えている。半導体層ＳＣは、その一部分が信号線Ｓ１と重なるように配置され、他の部分が信号線Ｓ１及びＳ２の間に延出し、略Ｕ字状に形成されている。半導体層ＳＣは、信号線Ｓ１と重なる領域、及び、信号線Ｓ１及びＳ２の間において走査線Ｇ１と交差している。本実施形態において、半導体層ＳＣは、走査線Ｇ１の２個所と交差しているが、これに限らず、走査線Ｇ１の１個所と交差していてもよく、３個所と交差していてもよい。
【００２５】
走査線Ｇ１において、半導体層ＳＣと重畳する領域がそれぞれゲート電極ＧＥ１及びＧＥ２として機能する。半導体層ＳＣは、その一端部ＳＣＡにおいてコンタクトホールＣＨ１を通じて信号線Ｓ１と電気的に接続され、また、その他端部ＳＣＢにおいてコンタクトホールＣＨ２を通じて中継電極ＲＥと電気的に接続されている。中継電極ＲＥは、島状に形成され、信号線Ｓ１及びＳ２の間に配置されている。
【００２６】
図５は、副画素ＳＰに配置される画素電極ＰＥの一構成例を示す平面図である。なお、ここでは、説明に必要な構成のみを図示しており、走査線やスイッチング素子の図示を省略している。  
図５に示すように、画素電極ＰＥは、信号線Ｓ１及びＳ２の間に配置されている。画素電極ＰＥは、コンタクト部ＰＡ及び主電極部ＰＢを備えている。コンタクト部ＰＡ及び主電極部ＰＢは、一体的あるいは連続的に形成され、互いに電気的に接続されている。
【００２７】
コンタクト部ＰＡは、中継電極ＲＥと重なる位置に配置され、コンタクトホールＣＨ３を通じて中継電極ＲＥと電気的に接続されている。主電極部ＰＢは、信号線Ｓ１及びＳ２に沿った形状を有しており、図示した例では、信号線Ｓ１と同様に屈曲した２本のスリットＰＳＬを有している。２本のスリットＰＳＬは、間隔をおいて第１方向Ｘに並び、それぞれ第１方向Ｘに沿って略同一の幅を有している。なお、画素電極ＰＥの形状は、図示した例に限定されるものではなく、副画素ＳＰの形状などに合わせて適宜変更することができる。また、スリットＰＳＬの形状や本数などについても図示した例に限定されない。  
共通電極ＣＥは、信号線Ｓ１及びＳ２の上に重なっている。画素電極ＰＥは、共通電極ＣＥの上に重なっている。共通電極ＣＥは、中継電極ＲＥと重なる位置に開口部ＯＰを有している。
【００２８】
上述したように、主電極部ＰＢ（スリットＰＳＬ）は屈曲しているため、ダイレクタの回転方向が互いに異なる複数のドメインを副画素ＳＰに設定することができる。このため、表示パネルＰＮＬは、良好な視野角特性を得ることができる。
【００２９】
図６は、図４の線ＶＩ−ＶＩに沿った表示パネルＰＮＬを示す断面図である。図示した例は、横電界を利用する表示モードの一つであるＦＦＳ（Fringe Field Switching）モードが適用された例に相当する。  
図６に示すように、第１基板ＳＵＢ１は、第１絶縁基板１０、第１絶縁膜１１、第２絶縁膜１２、第３絶縁膜１３、第４絶縁膜１４、第５絶縁膜１５、下側遮光層ＵＳ、半導体層ＳＣ、走査線Ｇ１、信号線Ｓ１、中継電極ＲＥ、共通電極ＣＥ、画素電極ＰＥ、第１配向膜ＡＬ１などを備えている。
【００３０】
第１絶縁基板１０は、ガラス基板や樹脂基板などの光透過性を有する基板である。下側遮光層ＵＳは、第１絶縁基板１０の上に位置し、第１絶縁膜１１によって覆われている。下側遮光層ＵＳは、バックライトユニットＢＬから半導体層ＳＣに向かう光を遮光する。半導体層ＳＣは、第１絶縁膜１１の上に位置し、第２絶縁膜１２によって覆われている。半導体層ＳＣは、例えば、多結晶シリコンによって形成されているが、アモルファスシリコンや酸化物半導体によって形成されていてもよい。
【００３１】
走査線Ｇ１の一部であるゲート電極ＧＥ１及びＧＥ２は、第２絶縁膜１２の上に位置し、第３絶縁膜１３によって覆われている。なお、図示しない走査線Ｇ２も、走査線Ｇ１と同一層に配置される。走査線Ｇ１は、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料や、これらの金属材料を組み合わせた合金などによって形成され、単層構造であってもよいし、多層構造であってもよい。本実施形態において、走査線Ｇ１はモリブデン・タングステン（ＭｏＷ）で形成されている。なお、下側遮光層ＵＳは、ゲート電極ＧＥ１及びＧＥ２と対向する位置の半導体層ＳＣの直下に位置していることが望ましい。
【００３２】
信号線Ｓ１及び中継電極ＲＥは、第３絶縁膜１３の上に位置し、第４絶縁膜１４によって覆われている。なお、図示しない信号線Ｓ２も、信号線Ｓ１と同一層に配置される。信号線Ｓ１及び中継電極ＲＥは、同一材料によって形成され、上記の金属材料等が適用可能である。信号線Ｓ１は、第２絶縁膜１２及び第３絶縁膜１３を貫通するコンタクトホールＣＨ１を通り半導体層ＳＣにコンタクトしている。中継電極ＲＥは、第２絶縁膜１２及び第３絶縁膜１３を貫通するコンタクトホールＣＨ２を通り半導体層ＳＣにコンタクトしている。
【００３３】
共通電極ＣＥは、第４絶縁膜１４の上に位置し、第５絶縁膜１５によって覆われている。画素電極ＰＥは、第５絶縁膜１５の上に位置し、第１配向膜ＡＬ１によって覆われている。画素電極ＰＥの一部は、共通電極ＣＥと対向している。共通電極ＣＥ及び画素電極ＰＥは、インジウム・ティン・オキサイド（ＩＴＯ）、インジウム・ジンク・オキサイド（ＩＺＯ）、ジンク・オキサイド（ＺｎＯ）などの透明な導電材料によって形成された透明電極である。画素電極ＰＥは、共通電極ＣＥの開口部ＯＰと重畳する位置において、第４絶縁膜１４及び第５絶縁膜１５を貫通するコンタクトホールＣＨ３を通り中継電極ＲＥにコンタクトしている。  
第１絶縁膜１１、第２絶縁膜１２、第３絶縁膜１３、及び、第５絶縁膜１５は、シリコン酸化物、シリコン窒化物、シリコン酸窒化物などの無機絶縁膜であり、単層構造であってもよいし、多層構造であってもよい。第４絶縁膜１４は、アクリル樹脂などの有機絶縁膜である。
【００３４】
第２基板ＳＵＢ２は、第２絶縁基板２０、遮光層ＢＭ、カラーフィルタＣＦ、オーバーコート層ＯＣ、第２配向膜ＡＬ２などを備えている。  
第２絶縁基板２０は、ガラス基板や樹脂基板などの光透過性を有する基板である。遮光層ＢＭ及びカラーフィルタＣＦは、第２絶縁基板２０の第１基板ＳＵＢ１と対向する側に位置している。本実施形態において、遮光層ＢＭは、図４に示した信号線Ｓ１及びＳ２や走査線Ｇ１及びＧ２やスイッチング素子ＳＷなどの配線部とそれぞれ対向する位置に配置されている。この場合、遮光層ＢＭは、表示領域ＤＡにおいて格子状に形成されている。但し、本実施形態と異なり、遮光層ＢＭは、信号線Ｓ１及びＳ２と対向する位置に配置されていなくともよい。この場合、遮光層ＢＭは、第１方向Ｘに延出し、ストライプ状に形成されている。何れにおいても、遮光層ＢＭは、少なくとも、第１方向Ｘに延出し、ストライプ状に形成されていればよい。
【００３５】
カラーフィルタＣＦは、画素電極ＰＥと対向する位置に配置され、その一部が遮光層ＢＭに重なっている。カラーフィルタＣＦは、例えば、赤色の色層、緑色の色層、青色の色層などを含み、他の色あるいは透明あるいは白色の層を更に含んでいてもよい。
【００３６】
オーバーコート層ＯＣは、カラーフィルタＣＦを覆っている。オーバーコート層ＯＣは、透明な樹脂によって形成されている。第２配向膜ＡＬ２は、オーバーコート層ＯＣを覆っている。第１配向膜ＡＬ１及び第２配向膜ＡＬ２は、例えば、水平配向性を呈する材料によって形成されている。一例では、図５に示したように、第１配向膜ＡＬ１の配向処理方向ＡＤ１は第２方向Ｙと平行であり、第２配向膜ＡＬ２の配向処理方向ＡＤ２は配向処理方向ＡＤ１と平行であり且つ配向処理方向ＡＤ１とは逆向きである。
【００３７】
なお、カラーフィルタＣＦは、第１基板ＳＵＢ１に配置されてもよい。遮光層ＢＭは、カラーフィルタＣＦとオーバーコート層ＯＣとの間、あるいは、オーバーコート層ＯＣと第２配向膜ＡＬ２との間に配置されてもよい。また、遮光層ＢＭを配置する替わりに、異なる色の色層を２層以上重ね合せることで透過率を低下させ、遮光層として機能させてもよい。また、白色の副画素が追加されてもよく、白色の副画素には白色の色層を配置してもよいし、透明な層を配置してもよいし、上記透明な層を配置せずにオーバーコート層ＯＣを配置してもよい。
【００３８】
上述した第１基板ＳＵＢ１及び第２基板ＳＵＢ２は、第１配向膜ＡＬ１及び第２配向膜ＡＬ２が対向するように配置されている。図示しないが、スペーサは、樹脂材料によって形成され、第１基板ＳＵＢ１及び第２基板ＳＵＢ２の間に配置されている。これにより、第１配向膜ＡＬ１と第２配向膜ＡＬ２との間に所定のセルギャップが形成される。但し、スペーサとして、セルギャップを形成するメインスペーサの他に、表示パネルＰＮＬに対して外部応力が加わっていない定常状態で一方の基板に接触していないサブスペーサが含まれていてもよい。セルギャップは、例えば２乃至５μｍである。第１基板ＳＵＢ１及び第２基板ＳＵＢ２は、非表示領域ＮＤＡに設けられたシール材によって貼り合わせられている。
【００３９】
液晶層ＬＣは、第１基板ＳＵＢ１及び第２基板ＳＵＢ２の間に位置し、第１配向膜ＡＬ１と第２配向膜ＡＬ２との間に保持されている。液晶層ＬＣは、液晶分子ＬＭを含んでいる。このような液晶層ＬＣは、ポジ型（誘電率異方性が正）の液晶材料、あるいは、ネガ型（誘電率異方性が負）の液晶材料によって構成されている。
【００４０】
第１基板ＳＵＢ１の下方には、第１偏光板ＰＬ１を含む第１光学素子ＯＤ１が配置されている。また、第２基板ＳＵＢ２の上方には、第２偏光板ＰＬ２を含む第２光学素子ＯＤ２が配置されている。一例では、第１偏光板ＰＬ１及び第２偏光板ＰＬ２は、それぞれの吸収軸がＸ−Ｙ平面において互いに直交するように配置されている。なお、第１光学素子ＯＤ１及び第２光学素子ＯＤ２は、必要に応じて、散乱層、反射防止層、１／４波長板や１／２波長板などの位相差板、などを備えていてもよい。
【００４１】
このような構成例においては、画素電極ＰＥと共通電極ＣＥとの間に電界が形成されていないオフ状態において、液晶分子ＬＭは、第１配向膜ＡＬ１及び第２配向膜ＡＬ２の間で所定の方向（例えば第２方向Ｙ）に初期配向している。このようなオフ状態では、バックライトユニットＢＬから表示パネルＰＮＬに向けて照射された光は、第１光学素子ＯＤ１及び第２光学素子ＯＤ２によって吸収され、暗表示となる。一方、画素電極ＰＥと共通電極ＣＥとの間に電界が形成されたオン状態においては、液晶分子ＬＭは、電界により初期配向方向とは異なる方向に配向し、その配向方向は電界によって制御される。このようなオン状態では、バックライトユニットＢＬからの光の一部は、第１光学素子ＯＤ１及び第２光学素子ＯＤ２を透過し、明表示となる。
【００４２】
図７は、上記表示パネルＰＮＬの表示領域ＤＡの１つのラウンド部Ｒ１を含む領域を示す平面図であり、理想的な表示領域と複数の画素ＰＸとの関係を説明するための図である。ここで、図１に示した表示領域ＤＡのラウンド部Ｒ１乃至Ｒ４の各々と画素ＰＸとの関係は、同様である。そこで、以下、ラウンド部Ｒ１の近傍の領域を代表して説明する。
【００４３】
図７に示すように、表示装置ＤＳＰは、第１領域Ａ１と、第１領域Ａ１の外側の第２領域Ａ２と、第１領域Ａ１と第２領域Ａ２との境界Ｂと、を備えている。第１領域Ａ１は理想的な表示領域であり、第２領域Ａ２は理想的な非表示領域（遮光領域）である。境界Ｂは、表示領域の理想的な輪郭に相当する。境界Ｂは、直線状の第１境界と、第１境界に繋がるラウンド状の第２境界と、を有している。図示した例では、境界Ｂは、第１領域Ａ１の上側の第１境界Ｂ１Ｕと、第１領域Ａ１の左側の第１境界Ｂ１Ｌと、第１領域Ａ１の左上の第２境界Ｂ２と、を有している。なお、図示しないが、第２境界Ｂ２は、一方で第１境界Ｂ１Ｕに繋がり、他方で第１境界Ｂ１Ｌに繋がっている。
【００４４】
複数の画素ＰＸは、第１方向Ｘ及び第２方向Ｙに並べられている。なお、各々の画素ＰＸは、上述した複数色の副画素ＳＰを備えている。複数の画素ＰＸは、第１領域Ａ１に位置した第１画素ＰＸ１と、第２境界Ｂ２（境界Ｂ）を跨いでそれぞれ位置した第２画素ＰＸ２、第３画素ＰＸ３、第４画素ＰＸ４、及び第５画素ＰＸ５と、を含んでいる。図中、第１画素ＰＸ１には「１」を、第２画素ＰＸ２には「２」を、第３画素ＰＸ３には「３」を、第４画素ＰＸ４には「４」を、第５画素ＰＸ５には「５」を、それぞれ付している。なお、表示パネルＰＮＬは、第２領域Ａ２に位置し、第１領域Ａ１に位置しない画素を含んでいない。
【００４５】
表示領域ＤＡは、複数の画素ＰＸが位置する領域であり、図７で言う１から５までの数字が付してある領域である。ここで、上記液晶層ＬＣは、少なくとも第１領域Ａ１に位置している。詳しくは、上記液晶層ＬＣは、少なくとも表示領域ＤＡに位置している。非表示領域ＮＤＡは、第２領域Ａ２のうち複数の画素ＰＸが位置していない領域であり、図７で言う斜線が付してある領域である。なお、非表示領域ＮＤＡは、上記遮光層ＢＭなどで遮光されている。
【００４６】
第１領域Ａ１の上端に位置する複数の画素ＰＸは、複数の第１画素ＰＸを含み、第１方向Ｘに揃っている。そして、上端に位置する複数の画素ＰＸの上辺は、第１境界Ｂ１Ｕ上に位置している。このため、表示領域ＤＡの上辺（短辺ＳＳ１）を第１境界Ｂ１Ｕに一致させることにより、表示領域ＤＡの理想的な上辺を得ることができる。
【００４７】
第１領域Ａ１の左端に位置する複数の画素ＰＸは、複数の第１画素ＰＸを含み、第２方向Ｙに揃っている。そして、左端に位置する複数の画素ＰＸの左辺は、第１境界Ｂ１Ｌ上に位置している。このため、表示領域ＤＡの左辺（長辺ＬＳ１）を第１境界Ｂ１Ｌに一致させることにより、表示領域ＤＡの理想的な左辺を得ることができる。
【００４８】
表示領域ＤＡのラウンド部Ｒ１は、図７で言う数字が付してある領域と斜線が付してある領域との境界に相当するため、厳密にはラウンド状ではない。表示領域ＤＡのラウンド部Ｒ１を第２境界Ｂ２に一致させることは困難である。そこで、本実施形態では、第２画素ＰＸ２乃至第５画素ＰＸ５のそれぞれの開口率を、第１画素ＰＸ１の開口率より低くしている。なお、第１画素ＰＸ１は正規の画素であり、第１画素ＰＸ１の開口率は正規の開口率である。第２画素ＰＸ２の開口率は、第１画素ＰＸ１の開口率より低い。第３画素ＰＸ３の開口率は、第２画素ＰＸ２の開口率より低い。第４画素ＰＸ４の開口率は、第３画素ＰＸ３の開口率より低い。第５画素ＰＸ５の開口率は、第４画素ＰＸ４の開口率より低い。
【００４９】
本実施形態において、境界Ｂを跨ぐ画素ＰＸとしては、第２画素ＰＸ２、第３画素ＰＸ３、第４画素ＰＸ４及び第５画素ＰＸ５の４種類がある。このため、境界Ｂを跨ぐ画素ＰＸの開口率を４段階に分けている。境界Ｂを跨ぐ各画素ＰＸの種類は、第１領域Ａ１に位置する面積と第２領域Ａ２に位置する面積との比率に基づいている。第３画素ＰＸ３は、第２画素ＰＸ２より第２領域Ａ２側に位置する割合が大きい。第４画素ＰＸ４は、第３画素ＰＸ３より第２領域Ａ２側に位置する割合が大きい。第５画素ＰＸ５は、第４画素ＰＸ４より第２領域Ａ２側に位置する割合が大きい。
【００５０】
上記のように、境界Ｂを跨ぐ各画素ＰＸの開口率を調整することにより、表示領域ＤＡのラウンド部Ｒ１の輪郭を光学的にぼかすことができる。言い換えると、表示領域ＤＡのラウンド部Ｒ１の輪郭のギザギザを目立たなくすることができる。なお、（ｉ）表示パネルＰＮＬが境界Ｂを跨ぐ第２画素ＰＸ２乃至第５画素ＰＸ５を有していない場合や、（ｉｉ）第２画素ＰＸ２乃至第５画素ＰＸ５を全て第１画素ＰＸに置き換えた場合では、表示領域ＤＡのラウンド部Ｒ１の輪郭のギザギザが目立ってしまうものである。
【００５１】
上述したように、本実施形態では、４種類の画素ＰＸが境界Ｂを跨いで位置しているが、これに限定されるものではなく、種々変形可能である。正規の第１画素ＰＸ１の開口率より低い開口率を有する少なくとも１種類の画素ＰＸが、境界Ｂを跨いで位置していればよい。例えば、相対的に低い開口率を有する５種類以上の画素ＰＸが境界Ｂを跨いで位置していてもよい。これにより、本実施形態と同様、ラウンド部Ｒ１の輪郭のギザギザを目立たなくすることができる。
【００５２】
図８は、図７に示した表示パネルＰＮＬの表示領域ＤＡの一部を示す平面図であり、遮光層ＢＭと、複数の画素ＰＸの開口ＡＰと、を示す図である。  
図８に示すように、各々の画素ＰＸは、複数の開口ＡＰを有している。開口ＡＰは、開口領域と称される場合もある。本実施形態において、各々の画素ＰＸは３個の副画素ＳＰを有しているため、各々の画素ＰＸは３個の開口ＡＰを有している。各画素ＰＸの全ての開口ＡＰは、第２方向Ｙの長さ及び位置に関して同一である。各開口ＡＰは、対応する画素ＰＸの第２方向Ｙの中央に位置している。開口ＡＰの第２方向Ｙの中心は、対応する画素ＰＸを第２方向Ｙに二等分する二等分線を通っている。表示領域ＤＡにおける開口ＡＰの隙間や、非表示領域ＮＤＡには遮光層ＢＭが設けられている。図中、遮光層ＢＭは斜線を付した領域に相当し、各開口ＡＰは斜線を付していない領域に相当する。例えば、各開口ＡＰは、遮光層ＢＭで区域されている。複数の画素ＰＸは、二点鎖線で区域している。
【００５３】
各第１画素ＰＸ１は３個の第１開口ＡＰ１を有し、各第２画素ＰＸ２は３個の第２開口ＡＰ２を有し、各第３画素ＰＸ３は３個の第３開口ＡＰ３を有し、各第４画素ＰＸ４は３個の第４開口ＡＰ４を有し、各第５画素ＰＸ５は３個の第５開口ＡＰ５を有している。第２方向Ｙにおいて、第２開口ＡＰ２は第１開口ＡＰ１より短く、第３開口ＡＰ３は第２開口ＡＰ２より短く、第４開口ＡＰ４は第３開口ＡＰ３より短く、第５開口ＡＰ５は第４開口ＡＰ４より短い。
【００５４】
例えば、遮光層ＢＭの形状を調整することにより、開口ＡＰの第２方向Ｙの長さを調整することができる。上記のことから、本実施形態では、画素ＰＸ毎に、開口ＡＰの第２方向Ｙの長さを調整することにより、各画素ＰＸの開口率を調整することができる。
【００５５】
図９は、上記第１画素ＰＸ１を示す平面図であり、走査線Ｇ、信号線Ｓ、画素電極ＰＥ、及び遮光層ＢＭを示す図である。ここでは、説明に必要な主要部のみを図示している。なお、図示した例では、第１画素ＰＸ１などの複数の画素ＰＸは、上記ＦＦＳモードに対応した構成を有しているが、共通電極の図示は省略している。走査線Ｇ、信号線Ｓは、上記の第１基板ＳＵＢ１に配置される一方で、遮光層ＢＭは、上記の第２基板ＳＵＢ２に配置される。なお、遮光層ＢＭは、図中に二点鎖線で示されている。
【００５６】
図９に示すように、遮光層ＢＭは、副画素ＳＰの境界に沿った形状を有している。遮光層ＢＭは、少なくともバックライトユニットＢＬから照射される光を遮蔽する機能を有している。遮光層ＢＭは、黒色の樹脂などの光吸収率の高い材料で形成されている。又は、遮光層ＢＭは、金属などの光反射率の高い材料で形成されている。第１開口ＡＰ１は、遮光層ＢＭによって囲まれた領域であり、表示に寄与する領域となる。遮光層ＢＭは、複数の帯状の第１遮光層ＳＨ１と、複数の帯状の第２遮光層ＳＨ２と、を有している。本実施形態において、第１遮光層ＳＨ１及び第２遮光層ＳＨ２は、一体に形成されている。
【００５７】
複数の第１遮光層ＳＨ１は、第１方向Ｘに延出し、第２方向Ｙに間隔を置いて並べられている。各々の第１遮光層ＳＨ１は、走査線Ｇに沿って第１方向Ｘに延出している。第１遮光層ＳＨ１は、走査線Ｇ、画素電極ＰＥの端部、上述したスイッチング素子ＳＷなどと対向している。第２遮光層ＳＨ２は、信号線Ｓと対向し、信号線Ｓに沿って延出している。
【００５８】
第１画素ＰＸ１などの各々の画素ＰＸは、互いに色の異なる複数の副画素ＳＰを有している。本実施形態において、各画素ＰＸは、第１色の副画素ＳＰ１、第２色の副画素ＳＰ２、及び第３色の副画素ＳＰ３を有している。第１色は赤色であり、第２色は緑色であり、第３色は青色である。
【００５９】
各々の副画素ＳＰ１，ＳＰ２，ＳＰ３は、第１開口領域Ｊ１と、第２開口領域Ｊ２と、を有している。液晶層ＬＣへの電圧印加時において、第２開口領域Ｊ２は、液晶分子ＬＭの回転状態（配向状態）に関して第１開口領域Ｊ１とは異なっている。各副画素ＳＰ１，ＳＰ２，ＳＰ３において、第１開口領域Ｊ１と第２開口領域Ｊ２とは、第２方向Ｙに連続して設けられている。第１画素ＰＸ１において、各第１開口ＡＰ１は、連続した第１開口領域Ｊ１と第２開口領域Ｊ２とを含んでいる。ここで、第１開口領域Ｊ１と第２開口領域Ｊ２との境界を通る仮想上の線を、以下、基準線ＲＬと称する。
【００６０】
何れの副画素ＳＰ１，ＳＰ２，ＳＰ３においても、第１開口領域Ｊ１は、第１方向Ｘ及び第２方向Ｙと異なる第３方向ｄ３に延伸し、第２開口領域Ｊ２は、第１方向Ｘ、第２方向Ｙ及び第３方向ｄ３と異なる第４方向ｄ４に延伸している。
【００６１】
第１画素ＰＸ１などの各々の画素ＰＸにおいて、副画素ＳＰ１，ＳＰ２，ＳＰ３の複数の第１開口領域Ｊ１の第２方向Ｙの第１長さは互いに同一であり、副画素ＳＰ１，ＳＰ２，ＳＰ３の複数の第２開口領域Ｊ２の第２方向Ｙの第２長さは互いに同一である。また、本実施形態において、第１画素ＰＸ１などの各々の画素ＰＸにおいて、上記第１長さと上記第２長さとは互いに同一である。  
但し、本辞し形態と異なり、上記第１長さと上記第２長さとは互いに異なっていてもよい。
【００６２】
第１画素ＰＸ１において、複数の第１開口領域Ｊ１の第２方向Ｙの第１長さＬ１ａは互いに同一であり、複数の第２開口領域Ｊ２の第２方向Ｙの第２長さＬ２ａは互いに同一である。そして、第１長さＬ１ａと第２長さＬ２ａは互いに同一である。第１開口領域Ｊ１と第２開口領域Ｊ２の境界を表す基準線ＲＬは、副画素ＳＰの中央部である。第２方向Ｙに隣合う一対の第１遮光層ＳＨ１の第２方向Ｙの距離において、第１画素ＰＸ１を通る距離ＤＩａは、第１長さＬ１ａと第２長さＬ２ａとの和に等しい。  
なお、上記の複数の第１遮光層ＳＨ１は、複数の開口ＡＰ（複数の開口領域Ｊ１，Ｊ２）の隙間に設けられている。
【００６３】
また、上述したように、本実施形態において、画素電極ＰＥと共通電極ＣＥとのうち、液晶層ＬＣに近い側の電極は画素電極ＰＥである。ここでは、画素電極ＰＥが上部電極であり、共通電極ＣＥが下部電極である。但し、本実施形態と異なり、共通電極ＣＥが画素電極ＰＥより液晶層ＬＣの近くに位置していてもよく、この場合、共通電極ＣＥがスリットを有する上部電極であり、画素電極ＰＥが板状の下部電極である。
【００６４】
さらに、本実施形態において、第１画素ＰＸ１の何れの副画素ＳＰ１，ＳＰ２，ＳＰ３においても、画素電極ＰＥのうち主電極部ＰＢが、第１開口ＡＰ１に位置している。主電極部ＰＢは、第１開口領域Ｊ１にて第３方向ｄ３に延出し、基準線ＲＬ上にて屈曲し、第２開口領域Ｊ２にて第４方向ｄ４に延出している。
【００６５】
副画素ＳＰ１が左側に位置し、副画素ＳＰ３が右側に位置する平面視において、各主電極部ＰＢは、＜の記号の形状を有している。なお、本実施形態と異なり、各主電極部ＰＢは、＞の記号の形状を有していてもよい。  
第１開口ＡＰ１（第１開口領域Ｊ１及び第２開口領域Ｊ２）の形状と、主電極部ＰＢの形状と、からも分かるように、各々の開口領域Ｊ１，Ｊ２は、ダイレクタの回転方向が互いに異なる複数のドメインを有している。本実施形態では、各副画素ＳＰ１，ＳＰ２，ＳＰ３は４種類のドメインを有するため、表示パネルＰＮＬは良好な視野角特性を得ることができる。  
なお、画素電極ＰＥの形状及びサイズは、第１画素ＰＸ１乃至第５画素ＰＸ５で同一である。
【００６６】
図１０は、上記第２画素ＰＸ２を示す平面図であり、走査線Ｇ、信号線Ｓ、画素電極ＰＥ、及び遮光層ＢＭを示す図である。ここでは、説明に必要な主要部のみを図示している。また、第２画素ＰＸ２と第１画素ＰＸ１との関係性、及び第２画素ＰＸ２と第１画素ＰＸ１との相違点、を中心に説明する。
【００６７】
図１０に示すように、第２開口ＡＰ２は、遮光層ＢＭによって囲まれた領域であり、表示に寄与する領域となる。第２画素ＰＸ２において、各第２開口ＡＰ２は、連続した第１開口領域Ｊ１と第２開口領域Ｊ２とを含んでいる。
【００６８】
第２画素ＰＸ２において、複数の第１開口領域Ｊ１の第２方向Ｙの第１長さＬ１ｂは互いに同一であり、複数の第２開口領域Ｊ２の第２方向Ｙの第２長さＬ２ｂは互いに同一である。そして、第１長さＬ１ｂと第２長さＬ２ｂは互いに同一である。第２方向Ｙに隣合う一対の第１遮光層ＳＨ１の第２方向Ｙの距離において、第２画素ＰＸ２を通る距離ＤＩｂは、第１長さＬ１ｂと第２長さＬ２ｂとの和に等しい。
【００６９】
第１遮光層ＳＨ１のうち、第２画素ＰＸ２に対応する個所は、第１画素ＰＸ１に対応する個所より基準線ＲＬ側に拡張されている。このため、第２画素ＰＸ２の第１長さＬ１ｂは、第１画素ＰＸ１の第１長さＬ１ａより短く、第２画素ＰＸ２の第２長さＬ２ｂは、第１画素ＰＸ１の第２長さＬ２ａより短い。第２画素ＰＸ２を通る距離ＤＩｂは、第１画素ＰＸ１を通る距離ＤＩａより短い。  
色が互いに同一である副画素ＳＰに設けられ液晶分子ＬＭの回転状態（配向状態）が互いに同一である開口領域Ｊ同士を比較した場合、第２画素ＰＸ２の開口領域Ｊは、第１画素ＰＸ１の開口領域Ｊより小さい。例えば、第２画素ＰＸ２の副画素ＳＰ１の第１開口領域Ｊ１は、第１画素ＰＸ１の副画素ＳＰ１の第１開口領域Ｊ１より小さい。
【００７０】
さらに、開口領域Ｊ同士を比較する際、さらに、ダイレクタの回転方向が互いに同一であるドメイン同士を比較した場合、第２画素ＰＸ２のドメインのサイズは、第１画素ＰＸ１のドメインのサイズより小さい。本実施形態において、第２画素ＰＸ２の各副画素ＳＰ１の開口率を調整する場合、各々の第１開口領域Ｊ１及び第２開口領域Ｊ２において、複数のドメインの比率は維持した方が望ましい。上記のことからも、第２画素ＰＸ２の各副画素ＳＰ１の開口率を調整する場合、第２遮光層ＳＨ２を第１方向Ｘに拡張せず、本実施形態のように第１遮光層ＳＨ１を第２方向Ｙに拡張した方が望ましい。これにより、表示パネルＰＮＬは、一層、良好な視野角特性を得ることができる。  
なお、第２画素ＰＸ２の何れの副画素ＳＰ１，ＳＰ２，ＳＰ３においても、画素電極ＰＥのうち主電極部ＰＢが、第２開口ＡＰ２に位置している。  
また、第１方向Ｘに並ぶ第１画素ＰＸ１と第２画素ＰＸ２とに注目した場合、第１開口領域Ｊ１と第２開口領域Ｊ２の境界を表す基準線ＲＬは、第１画素ＰＸ１と第２画素ＰＸ２とで同一直線状にある。
【００７１】
図１１は、上記第３画素ＰＸ３を示す平面図であり、走査線Ｇ、信号線Ｓ、画素電極ＰＥ、及び遮光層ＢＭを示す図である。ここでは、説明に必要な主要部のみを図示している。また、第３画素ＰＸ３と第２画素ＰＸ２との関係性、及び第３画素ＰＸ３と第２画素ＰＸ２との相違点、を中心に説明する。  
図１１に示すように、第３開口ＡＰ３は、遮光層ＢＭによって囲まれた領域であり、表示に寄与する領域となる。第３画素ＰＸ３において、各第３開口ＡＰ３は、連続した第１開口領域Ｊ１と第２開口領域Ｊ２とを含んでいる。
【００７２】
第３画素ＰＸ３において、複数の第１開口領域Ｊ１の第２方向Ｙの第１長さＬ１ｃは互いに同一であり、複数の第２開口領域Ｊ２の第２方向Ｙの第２長さＬ２ｃは互いに同一である。そして、第１長さＬ１ｃと第２長さＬ２ｃは互いに同一である。第２方向Ｙに隣合う一対の第１遮光層ＳＨ１の第２方向Ｙの距離において、第３画素ＰＸ３を通る距離ＤＩｃは、第１長さＬ１ｃと第２長さＬ２ｃとの和に等しい。
【００７３】
第１遮光層ＳＨ１のうち、第３画素ＰＸ３に対応する個所は、第２画素ＰＸ２に対応する個所より基準線ＲＬ側に拡張されている。このため、第３画素ＰＸ３の第１長さＬ１ｃは、第２画素ＰＸ２の第１長さＬ１ｂより短く、第３画素ＰＸ３の第２長さＬ２ｃは、第２画素ＰＸ２の第２長さＬ２ｂより短い。第３画素ＰＸ３を通る距離ＤＩｃは、第２画素ＰＸ２を通る距離ＤＩｂより短い。  
色が互いに同一である副画素ＳＰに設けられ液晶分子ＬＭの回転状態（配向状態）が互いに同一である開口領域Ｊ同士を比較した場合、第３画素ＰＸ３の開口領域Ｊは、第２画素ＰＸ２の開口領域Ｊより小さい。例えば、第３画素ＰＸ３の副画素ＳＰ１の第１開口領域Ｊ１は、第２画素ＰＸ２の副画素ＳＰ１の第１開口領域Ｊ１より小さい。
【００７４】
さらに、開口領域Ｊ同士を比較する際、さらに、ダイレクタの回転方向が互いに同一であるドメイン同士を比較した場合、第３画素ＰＸ３のドメインのサイズは、第２画素ＰＸ２のドメインのサイズより小さい。  
なお、第３画素ＰＸ３の何れの副画素ＳＰ１，ＳＰ２，ＳＰ３においても、画素電極ＰＥのうち主電極部ＰＢが、第３開口ＡＰ３に位置している。
【００７５】
図１２は、上記第４画素ＰＸ４を示す平面図であり、走査線Ｇ、信号線Ｓ、画素電極ＰＥ、及び遮光層ＢＭを示す図である。ここでは、説明に必要な主要部のみを図示している。また、第４画素ＰＸ４と第３画素ＰＸ３との関係性、及び第４画素ＰＸ４と第３画素ＰＸ３との相違点、を中心に説明する。  
図１２に示すように、第４開口ＡＰ４は、遮光層ＢＭによって囲まれた領域であり、表示に寄与する領域となる。第４画素ＰＸ４において、各第４開口ＡＰ４は、連続した第１開口領域Ｊ１と第２開口領域Ｊ２とを含んでいる。
【００７６】
第４画素ＰＸ４において、複数の第１開口領域Ｊ１の第２方向Ｙの第１長さＬ１ｄは互いに同一であり、複数の第２開口領域Ｊ２の第２方向Ｙの第２長さＬ２ｄは互いに同一である。そして、第１長さＬ１ｄと第２長さＬ２ｄは互いに同一である。第２方向Ｙに隣合う一対の第１遮光層ＳＨ１の第２方向Ｙの距離において、第４画素ＰＸ４を通る距離ＤＩｄは、第１長さＬ１ｄと第２長さＬ２ｄとの和に等しい。
【００７７】
第１遮光層ＳＨ１のうち、第４画素ＰＸ４に対応する個所は、第３画素ＰＸ３に対応する個所より基準線ＲＬ側に拡張されている。このため、第４画素ＰＸ４の第１長さＬ１ｄは、第３画素ＰＸ３の第１長さＬ１ｃより短く、第４画素ＰＸ４の第２長さＬ２ｄは、第３画素ＰＸ３の第２長さＬ２ｃより短い。第４画素ＰＸ４を通る距離ＤＩｄは、第３画素ＰＸ３を通る距離ＤＩｃより短い。  
色が互いに同一である副画素ＳＰに設けられ液晶分子ＬＭの回転状態（配向状態）が互いに同一である開口領域Ｊ同士を比較した場合、第４画素ＰＸ４の開口領域Ｊは、第３画素ＰＸ３の開口領域Ｊより小さい。例えば、第４画素ＰＸ４の副画素ＳＰ１の第１開口領域Ｊ１は、第３画素ＰＸ３の副画素ＳＰ１の第１開口領域Ｊ１より小さい。
【００７８】
さらに、開口領域Ｊ同士を比較する際、さらに、ダイレクタの回転方向が互いに同一であるドメイン同士を比較した場合、第４画素ＰＸ４のドメインのサイズは、第３画素ＰＸ３のドメインのサイズより小さい。  
なお、第４画素ＰＸ４の何れの副画素ＳＰ１，ＳＰ２，ＳＰ３においても、画素電極ＰＥのうち主電極部ＰＢが、第４開口ＡＰ４に位置している。
【００７９】
図１３は、上記第５画素ＰＸ５を示す平面図であり、走査線Ｇ、信号線Ｓ、画素電極ＰＥ、及び遮光層ＢＭを示す図である。ここでは、説明に必要な主要部のみを図示している。また、第５画素ＰＸ５と第４画素ＰＸ４との関係性、及び第５画素ＰＸ５と第４画素ＰＸ４との相違点、を中心に説明する。  
図１３に示すように、第５開口ＡＰ５は、遮光層ＢＭによって囲まれた領域であり、表示に寄与する領域となる。第５画素ＰＸ５において、各第５開口ＡＰ５は、連続した第１開口領域Ｊ１と第２開口領域Ｊ２とを含んでいる。
【００８０】
第５画素ＰＸ５において、複数の第１開口領域Ｊ１の第２方向Ｙの第１長さＬ１ｅは互いに同一であり、複数の第２開口領域Ｊ２の第２方向Ｙの第２長さＬ２ｅは互いに同一である。そして、第１長さＬ１ｅと第２長さＬ２ｅは互いに同一である。第２方向Ｙに隣合う一対の第１遮光層ＳＨ１の第２方向Ｙの距離において、第５画素ＰＸ５を通る距離ＤＩｅは、第１長さＬ１ｅと第２長さＬ２ｅとの和に等しい。
【００８１】
第１遮光層ＳＨ１のうち、第５画素ＰＸ５に対応する個所は、第４画素ＰＸ４に対応する個所より基準線ＲＬ側に拡張されている。このため、第５画素ＰＸ５の第１長さＬ１ｅは、第４画素ＰＸ４の第１長さＬ１ｄより短く、第５画素ＰＸ５の第２長さＬ２ｅは、第４画素ＰＸ４の第２長さＬ２ｄより短い。第５画素ＰＸ５を通る距離ＤＩｅは、第４画素ＰＸ４を通る距離ＤＩｄより短い。  
色が互いに同一である副画素ＳＰに設けられ液晶分子ＬＭの回転状態（配向状態）が互いに同一である開口領域Ｊ同士を比較した場合、第５画素ＰＸ５の開口領域Ｊは、第４画素ＰＸ４の開口領域Ｊより小さい。例えば、第５画素ＰＸ５の副画素ＳＰ１の第１開口領域Ｊ１は、第４画素ＰＸ４の副画素ＳＰ１の第１開口領域Ｊ１より小さい。
【００８２】
さらに、開口領域Ｊ同士を比較する際、さらに、ダイレクタの回転方向が互いに同一であるドメイン同士を比較した場合、第５画素ＰＸ５のドメインのサイズは、第４画素ＰＸ４のドメインのサイズより小さい。  
なお、第５画素ＰＸ５の何れの副画素ＳＰ１，ＳＰ２，ＳＰ３においても、画素電極ＰＥのうち主電極部ＰＢが、第５開口ＡＰ５に位置している。
【００８３】
上記のように構成された第１の実施形態に係る表示装置ＤＳＰによれば、複数の画素ＰＸは、第１領域Ａ１に位置した第１画素ＰＸ１、境界Ｂを跨いで位置した第２画素ＰＸ２などを含んでいる。色が互いに同一である副画素ＳＰに設けられ液晶分子ＬＭの回転状態（配向状態）が互いに同一である開口領域Ｊ同士を比較した場合、第２画素ＰＸ２の開口領域Ｊは、第１画素ＰＸ１の開口領域Ｊより小さい。
【００８４】
第２画素ＰＸ２の開口率など、境界Ｂを跨ぐ各画素ＰＸの開口率を調整することにより、表示領域ＤＡのラウンド部Ｒ１乃至Ｒ４の輪郭のギザギザを目立たなくすることができる。また、第２画素ＰＸ２の開口率を調整する際、第１開口領域Ｊ１と第２開口領域Ｊ２との両方を縮小している。第１画素ＰＸ１の第１開口領域Ｊ１と第２画素ＰＸ２の第１開口領域Ｊ１との比率は、第１画素ＰＸ１の第２開口領域Ｊ２と第２画素ＰＸ２の第２開口領域Ｊ２との比率と、同一である。このため、表示パネルＰＮＬは、ラウンド部Ｒ１乃至Ｒ４においても、良好な視野角特性を得ることができる。  
上記のことから、表示品位に優れた表示装置ＤＳＰを得ることができる。
【００８５】
（第１の実施形態の変形例）  
次に、第１の実施形態の変形例について説明する。図１４は、上記第１の実施形態の変形例の表示装置ＤＳＰの第６画素ＰＸ６を示す平面図であり、走査線Ｇ、信号線Ｓ、画素電極ＰＥ、及び遮光層ＢＭを示す図である。  
図１４に示すように、本変形例の表示装置ＤＳＰにおいて、４種類ではなく５種類の画素ＰＸが境界Ｂを跨いで位置している点で上述した第１の実施形態と相違している。表示パネルＰＮＬは、境界Ｂを跨ぐ第６画素ＰＸ６をさらに有している。第６画素ＰＸ６は、第５画素ＰＸ５より第２領域Ａ２側に位置する割合が大きい。第６画素ＰＸ６は、第５画素ＰＸ５の各々の副画素ＳＰ１，ＳＰ２，ＳＰ３に遮光層ＭＳを付加して構成されている。遮光層ＭＳは、第６画素ＰＸ６の各副画素ＳＰの第６開口ＡＰ６に位置している。遮光層ＭＳは、第１開口領域Ｊ１と第２開口領域Ｊ２とに均等に配置されていた方が好ましい。
【００８６】
図６を参照すると、遮光層ＭＳは、第４絶縁膜１４より第１絶縁基板１０側に位置している。第１基板ＳＵＢ１の液晶層ＬＣに接する側の面の平坦化を阻害しないためである。また、遮光層ＭＳは、第６開口ＡＰ６に位置しているため、低い光反射率を有していた方が望ましい。このため、遮光層ＭＳは、黒色の樹脂などの光吸収率の高い材料や、低い光反射率を有する金属などの材料で形成した方が望ましい。
【００８７】
具体的には、遮光層ＭＳは、下側遮光層ＵＳと同一層に配置し、下側遮光層ＵＳと同一材料を利用して形成可能である。又は、遮光層ＭＳは、走査線Ｇと同一層に配置し、走査線Ｇと同一材料を利用して形成可能である。又は、遮光層ＭＳは、信号線Ｓと同一層に配置し、信号線Ｓと同一材料を利用して形成可能である。  
例えば、走査線Ｇがモリブデン・タングステン（ＭｏＷ）を利用し、信号線Ｓがアルミニウムを利用している場合、遮光層ＭＳは、走査線Ｇと同時に形成した方が望ましい。信号線Ｓより走査線Ｇの方が光反射率低いためである。
【００８８】
第６画素ＰＸ６に遮光層ＭＳを設けた分、第６画素ＰＸ６の開口率は、第５画素ＰＸ５の開口率より低い。  
上記のように構成された第１の実施形態の変形例に係る表示装置ＤＳＰにおいても、上述した第１の実施形態と同様の効果を得ることができる。そして、遮光層ＭＳなど、遮光層ＢＭ以外の部材を利用して画素ＰＸの開口率を調整することができるものである。
【００８９】
（第２の実施形態）  
次に、第２の実施形態に係る表示装置ＤＳＰについて説明する。上述した第１の実施形態では、画素ＰＸに対応付けて遮光層ＢＭを部分的に拡張することで、画素ＰＸの開口率を調整したものである。しかしながら、本実施形態では、遮光層ＢＭを拡張するのではなく、画素ＰＸに対応付けて画素電極ＰＥの形状を変えることで、画素ＰＸの開口率を調整するものである。画素電極ＰＥの形状は、第１画素ＰＸ１乃至第５画素ＰＸ５で異なっている。図１５は、上記第２の実施形態の表示装置ＤＳＰの第１画素ＰＸ１を示す平面図であり、走査線Ｇ、信号線Ｓ、画素電極ＰＥ、及び遮光層ＢＭを示す図である。ここでは、説明に必要な主要部のみを図示している。
【００９０】
図１５に示すように、第１画素ＰＸ１を含む全ての画素ＰＸにおいて、各副画素ＳＰ１，ＳＰ２，ＳＰ３は、第１開口ＡＰ１を有している。また、全ての画素ＰＸにおいて、副画素ＳＰ１，ＳＰ２，ＳＰ３の複数の第１開口ＡＰ１の第２方向Ｙの長さは互いに同一である。  
第１画素ＰＸ１の何れの副画素ＳＰ１，ＳＰ２，ＳＰ３においても、画素電極ＰＥのうち主電極部ＰＢが、第１開口ＡＰ１に位置している。なお、主電極部ＰＢは、画素電極ＰＥのうちスリットが設けられている領域に相当する。
【００９１】
第１画素ＰＸ１において、第１開口領域Ｊ１に位置する主電極部ＰＢの第２方向Ｙの第１長さＬａ１は互いに同一であり、第２開口領域Ｊ２に位置する主電極部ＰＢの第２方向Ｙの第２長さＬｂ１は互いに同一である。そして、第１長さＬａ１と第２長さＬｂ１は互いに同一である。第１画素ＰＸ１において、第１開口ＡＰ１に位置する主電極部ＰＢの第２方向Ｙの距離ＤＢは、第１長さＬａ１と第２長さＬｂ１との和に等しい。
【００９２】
図１６は、第２の実施形態の表示装置ＤＳＰの第２画素ＰＸ２を示す平面図であり、走査線Ｇ、信号線Ｓ、画素電極ＰＥ、及び遮光層ＢＭを示す図である。ここでは、説明に必要な主要部のみを図示している。また、第２画素ＰＸ２と第１画素ＰＸ１との関係性、及び第２画素ＰＸ２と第１画素ＰＸ１との相違点、を中心に説明する。
【００９３】
図１６に示すように、第２画素ＰＸ２において、各副画素ＳＰ１，ＳＰ２，ＳＰ３は、第１開口ＡＰ１を有している。第２画素ＰＸ２の何れの副画素ＳＰ１，ＳＰ２，ＳＰ３においても、画素電極ＰＥのうち、主電極部ＰＢだけではなく、コンタクト部ＰＡ及び他端部ＰＣも、第１開口ＡＰ１に位置している。
【００９４】
第２画素ＰＸ２において、第１開口領域Ｊ１に位置する主電極部ＰＢの第２方向Ｙの第１長さＬａ２は互いに同一であり、第２開口領域Ｊ２に位置する主電極部ＰＢの第２方向Ｙの第２長さＬｂ２は互いに同一である。そして、第１長さＬａ２と第２長さＬｂ２は互いに同一である。第２画素ＰＸ２において、第１開口ＡＰ１に位置する主電極部ＰＢの第２方向Ｙの距離ＤＢは、第１長さＬａ２と第２長さＬｂ２との和に等しい。距離ＤＢは、第２画素ＰＸ２の方が第１画素ＰＸ１より短い。このため、第２画素ＰＸ２の第１長さＬａ２は、第１画素ＰＸ１の第１長さＬａ１より短く、第２画素ＰＸ２の第２長さＬｂ２は、第１画素ＰＸ１の第２長さＬｂ１より短い。
【００９５】
なお、上述したことは、第３画素ＰＸ３乃至第５画素ＰＸ５に関しても同様である。距離ＤＢは、第３画素ＰＸ３の方が第２画素ＰＸ２より短く、第４画素ＰＸ４の方が第３画素ＰＸ３より短く、第５画素ＰＸ５の方が第４画素ＰＸ４より短い。このため、第３画素ＰＸ３の第１長さＬａ３は、第２画素ＰＸ２の第１長さＬａ２より短く、第３画素ＰＸ３の第２長さＬｂ３は、第２画素ＰＸ２の第２長さＬｂ２より短い。第４画素ＰＸ４の第１長さＬａ４は、第３画素ＰＸ３の第１長さＬａ３より短く、第４画素ＰＸ４の第２長さＬｂ４は、第３画素ＰＸ３の第２長さＬｂ３より短い。第５画素ＰＸ５の第１長さＬａ５は、第４画素ＰＸ４の第１長さＬａ４より短く、第５画素ＰＸ５の第２長さＬｂ５は、第４画素ＰＸ４の第２長さＬｂ４より短い。
【００９６】
上記のように構成された第２の実施形態に係る表示装置ＤＳＰによれば、画素電極ＰＥは上部電極である。色が互いに同一である副画素ＳＰに設けられ液晶分子ＬＭの回転状態（配向状態）が互いに同一である開口領域Ｊ同士を比較した場合、第２画素ＰＸ２の開口領域Ｊにおける画素電極ＰＥの形状と、第１画素ＰＸ１の開口領域Ｊにおける画素電極ＰＥの形状とは、互いに異なり、第２画素ＰＸ２の開口領域Ｊの開口率は、第１画素ＰＸ１の開口領域Ｊの開口率より低い。第２画素ＰＸ２の開口率など、境界Ｂを跨ぐ各画素ＰＸの開口率を調整することができるため、上述した第１の実施形態と同様の効果を得ることができる。  
上記のことから、第２の実施形態においても、表示品位に優れた表示装置ＤＳＰを得ることができる。
【００９７】
（第２の実施形態の変形例）  
次に、第２の実施形態の変形例について説明する。図１７は、上記第２の実施形態の変形例の表示装置ＤＳＰの第２画素ＰＸ２を示す平面図であり、走査線Ｇ、信号線Ｓ、画素電極ＰＥ、及び遮光層ＢＭを示す図である。
【００９８】
図１７に示すように、本変形例の表示装置ＤＳＰにおいて、画素電極ＰＥにスリットが設けられていない点で上述した第２の実施形態と相違している。本変形例において、主電極部ＰＢは、コンタクト部ＰＡと他端部ＰＣとの間の線状電極に相当する。主電極部ＰＢは、コンタクト部ＰＡ及び他端部ＰＣの各々より細い。言い換えると、主電極部ＰＢの第１方向Ｘの幅は、コンタクト部ＰＡの第１方向Ｘの幅より小さく、他端部ＰＣの第１方向Ｘの幅より小さい。  
上記のように構成された第２の実施形態の変形例に係る表示装置ＤＳＰにおいても、上述した第２の実施形態と同様の効果を得ることができる。
【００９９】
ここで、上述した第２の実施形態と第２の実施形態の変形例とを組合せてもよい。具体的には、第２の実施形態の画素ＰＸと、第２の実施形態の変形例の画素ＰＸとを組合せ、境界Ｂを跨ぐ各画素ＰＸの開口率を調整してもよい。
【０１００】
（第３の実施形態）  
次に、第３の実施形態に係る表示装置ＤＳＰについて説明する。上述した第１の実施形態、第２の実施形態などでは、開口ＡＰ及び画素電極ＰＥは＜の記号の形状を有し、１個の画素ＰＸで視野角特性に関して補償する構成であった。しかしながら、本実施形態では、画素ＰＸの形状が上述した第１の実施形態などと異なっているため、隣合う２個の画素ＰＸを組み合わせることにより、視野角特性に関して補償するものである。図１８は、第３の実施形態の表示装置ＤＳＰの表示パネルＰＮＬにおける画素配列を示す図である。
【０１０１】
図１８に示すように、複数の画素ＰＸは、２種類の主画素ＭＰＸ１，ＭＰＸ２に分類される。第２方向Ｙに隣合う２個の主画素ＭＰＸ１，ＭＰＸ２は、単位画素ＵＰＸを構成している。主画素ＭＰＸ１，ＭＰＸ２は、それぞれカラー画像を表示するための最小単位に相当する。主画素ＭＰＸ１は、副画素ＳＰ１Ｒａ、副画素ＳＰ２Ｇａ、及び副画素ＳＰ３Ｂａを含んでいる。主画素ＭＰＸ２は、副画素ＳＰ１Ｒｂ、副画素ＳＰ２Ｇｂ、及び副画素ＳＰ３Ｂｂを含んでいる。また、上記の副画素ＳＰの形状は、図示したような略平行四辺形である。
【０１０２】
副画素ＳＰ１Ｒａ及び副画素ＳＰ１Ｒｂは、第１色の副画素であり、第１色の色層ＣＦ１を備えている。副画素ＳＰ２Ｇａ及び副画素ＳＰ２Ｇｂは、第１色とは異なる第２色の副画素であり、第２色の色層ＣＦ２を備えている。副画素ＳＰ３Ｂａ及び副画素ＳＰ３Ｂｂは、第１色及び第２色とは異なる第３色の副画素であり、第３色の色層ＣＦ３を備えている。  
但し、主画素ＭＰＸ１，ＭＰＸ２は、赤色、緑色及び青色以外の色を表示する副画素を含んでいてもよいし、赤色、緑色及び青色の副画素を他の色の副画素に置換してもよい。
【０１０３】
主画素ＭＰＸ１は、第１方向Ｘに繰り返し配置されている。同様に、主画素ＭＰＸ２は、第１方向Ｘに繰り返し配置されている。第１方向Ｘに並ぶ主画素ＭＰＸ１の列と、第１方向Ｘに並ぶ主画素ＭＰＸ２の列は、第２方向Ｙに交互に繰り返し配置されている。  
色層ＣＦ１乃至ＣＦ３については、それぞれ上記の副画素のレイアウトに従って配置され、また、それぞれの副画素のサイズに応じた面積を有している。本実施形態において、色層ＣＦ１乃至ＣＦ３は、それぞれストライプ状に形成され、屈曲しつつ第２方向Ｙに延在し、第１方向Ｘに並べられている。
【０１０４】
副画素ＳＰの形状が図示したような略平行四辺形の場合、主画素ＭＰＸ１及び主画素ＭＰＸ２の２個の主画素を組み合わせることにより、各色の副画素に関しても多くのドメインを形成することが可能となり、視野角特性に関して補償することができる。このため、視野角特性に注目すると、主画素ＭＰＸ１及び主画素ＭＰＸ２の組み合わせた１個の単位画素ＵＰＸが、カラー画像を表示するための最小単位に相当する。
【０１０５】
図１９は、第３の実施形態に係る表示パネルＰＮＬの１個の単位画素ＵＰＸを示す平面図であり、走査線Ｇ、信号線Ｓ、画素電極ＰＥ、及び遮光層ＢＭを示す図である。なお、図１９では、説明に必要な構成のみを図示しており、カラーフィルタＣＦ、共通電極ＣＥなどの図示を省略している。また、図１９では、単位画素ＵＰＸの主画素ＭＰＸ１，ＭＰＸ２は、それぞれ第１画素ＰＸ１である。
【０１０６】
図１９に示すように、複数の信号線Ｓは、概ね第２方向Ｙに延出し、その一部が屈曲している。図示した例では、隣合う２本の走査線Ｇの間においては、信号線Ｓは、第３方向ｄ３及び第４方向ｄ４に延出している。図中において、副画素ＳＰは、隣合う２本の走査線Ｇと、隣合う２本の信号線Ｓによって区画される領域に相当する。
【０１０７】
各画素電極ＰＥ、特に各主電極部ＰＢは、第３方向ｄ３又は第４方向ｄ４に延出している。画素電極ＰＥのスリットも第３方向ｄ３又は第４方向ｄ４に延出している。隣合う２本の走査線Ｇの間において、主電極部ＰＢは信号線Ｓに沿った形状を有し、信号線Ｓと画素電極ＰＥ（主電極部ＰＢ）とは並行して延出している。  
図示した例では、主画素ＭＰＸ１の第１開口ＡＰ１、及び主電極部ＰＢは、第３方向ｄ３に延出している。一方、主画素ＭＰＸ２の第１開口ＡＰ１、及び主電極部ＰＢは、第４方向ｄ４に延出している。
【０１０８】
主画素ＭＰＸ１の各副画素ＳＰ１Ｒａ，ＳＰ２Ｇａ，ＳＰ３Ｂａにおいて、各第１開口ＡＰ１は、第１開口領域Ｊ１を含み、第２開口領域Ｊ２を含んでいない。主画素ＭＰＸ２の各副画素ＳＰ１Ｒｂ，ＳＰ２Ｇｂ，ＳＰ３Ｂｂにおいて、各第１開口ＡＰ１は、第２開口領域Ｊ２を含み、第１開口領域Ｊ１を含んでいない。  
上述したことから、主画素ＭＰＸ１及び主画素ＭＰＸ２を組み合わせることにより、色毎に、ダイレクタの回転方向が互いに異なる複数のドメインを設けることができる。このため、表示パネルＰＮＬは、良好な視野角特性を得ることができる。
【０１０９】
主画素ＭＰＸ１の複数の副画素ＳＰ１Ｒａ，ＳＰ２Ｇａ，ＳＰ３Ｂａは、第１開口領域Ｊ１を上記副画素の中央部に有している。主画素ＭＰＸ２の複数の副画素ＳＰ１Ｒｂ，ＳＰ２Ｇｂ，ＳＰ３Ｂｂは、第２開口領域Ｊ２を上記副画素の中央部に有している。第１画素ＰＸ１である主画素ＭＰＸ１において、複数の第１開口領域Ｊ１（第１開口ＡＰ１）の第２方向Ｙの第１長さＬ１ａは互いに同一である。第１画素ＰＸ１である主画素ＭＰＸ２において、複数の第２開口領域Ｊ２（第１開口ＡＰ１）の第２方向Ｙの第１長さＬ２ａは互いに同一である。そして、上記第１長さＬ１ａと上記第２長さＬ２ａは互いに同一である。また、ここで言う第１長さＬ１ａ及び第２長さＬ２ａは、第２方向Ｙに隣合う一対の第１遮光層ＳＨ１の第２方向Ｙの距離に等しい。
【０１１０】
上述したように図１９を参照しながら、それぞれ第１画素ＰＸ１である主画素ＭＰＸ１及び主画素ＭＰＸ２を例に説明したが、次に、図２０を参照しながら、第２画素ＰＸ２について説明する。図２０は、上記第３の実施形態に係る第２画素ＰＸ２を示す平面図であり、走査線Ｇ、信号線Ｓ、画素電極ＰＥ、及び遮光層ＢＭを示す図である。ここでは、説明に必要な主要部のみを図示し、第２画素ＰＸ２が主画素ＭＰＸ１である場合を示している。また、第２画素ＰＸ２と第１画素ＰＸ１との関係性、及び第２画素ＰＸ２と第１画素ＰＸ１との相違点、を中心に説明する。
【０１１１】
図２０に示すように、第２画素ＰＸ２において、各副画素ＳＰ１Ｒａ，ＳＰ２Ｇａ，ＳＰ３Ｂａは、第２開口ＡＰ２を有している。第２画素ＰＸ２の何れの副画素ＳＰ１，ＳＰ２，ＳＰ３においても、画素電極ＰＥのうち主電極部ＰＢが第２開口ＡＰ２に位置している。  
第２画素ＰＸ２において、第１開口領域Ｊ１に位置する主電極部ＰＢの第２方向Ｙの第１長さＬ１ｂは互いに同一である。第２画素ＰＸ２の第１長さＬ１ｂは、第１画素ＰＸ１の第１長さＬ１ａより短い。  
なお、上述したことは、第３画素ＰＸ３乃至第５画素ＰＸ５に関しても同様である。第３画素ＰＸ３の第１長さＬ１ｃは第２画素ＰＸ２の第１長さＬ１ｂより短く、第４画素ＰＸ４の第１長さＬ１ｄは第３画素ＰＸ３の第１長さＬ１ｃより短く、第５画素ＰＸ５の第１長さＬ１ｅは第４画素ＰＸ４の第１長さＬ１ｄより短い。  
また、第２方向Ｙに隣合う一対の第１遮光層ＳＨ１の第２方向Ｙの距離において、第１画素ＰＸ１を通る上記距離は第１長さＬ１ａに相当し、第２画素ＰＸ２を通る上記距離は第１長さＬ１ｂに相当し、第３画素ＰＸ３を通る上記距離は第１長さＬ１ｃに相当し、第４画素ＰＸ４を通る上記距離は第１長さＬ１ｄに相当し、第５画素ＰＸ５を通る上記距離は第１長さＬ１ｅに相当する。
【０１１２】
色が互いに同一である副画素ＳＰに設けられた開口領域Ｊ同士を比較した場合、第２画素ＰＸ２の開口領域Ｊは、第１画素ＰＸ１の開口領域Ｊより小さく、第３画素ＰＸ３の開口領域Ｊは、第２画素ＰＸ２の開口領域Ｊより小さく、第４画素ＰＸ４の開口領域Ｊは、第３画素ＰＸ３の開口領域Ｊより小さく、第５画素ＰＸ５の開口領域Ｊは、第４画素ＰＸ４の開口領域Ｊより小さい。例えば、第２画素ＰＸ２である主画素ＭＰＸ１の第１開口領域Ｊ１は、図１９に示した第１画素ＰＸ１である主画素ＭＰＸ１の第１開口領域Ｊ１より小さく、第１画素ＰＸ１である主画素ＭＰＸ２の第２開口領域Ｊ２より小さい。
【０１１３】
さらに、開口領域Ｊ同士を比較する際、さらに、ダイレクタの回転方向が互いに同一であるドメイン同士を比較した場合、第２画素ＰＸ２のドメインのサイズが第１画素ＰＸ１のドメインのサイズより小さく、第３画素ＰＸ３のドメインのサイズが第２画素ＰＸ２のドメインのサイズより小さく、第４画素ＰＸ４のドメインのサイズが第３画素ＰＸ３のドメインのサイズより小さく、第５画素ＰＸ５のドメインのサイズが第４画素ＰＸ４のドメインのサイズより小さい方が望ましい。
【０１１４】
図２１は、上記第３の実施形態に係る表示パネルＰＮＬの表示領域ＤＡの１つのラウンド部Ｒ１を含む領域を示す平面図であり、遮光層ＢＭと、複数の画素の開口ＡＰと、を示す図である。  
図２１に示すように、複数の画素ＰＸは、第１方向Ｘ及び第２方向Ｙに並べられている。複数の画素ＰＸは、第１領域Ａ１に位置した第１画素ＰＸ１と、第２境界Ｂ２（境界Ｂ）を跨いでそれぞれ位置した第２画素ＰＸ２、第３画素ＰＸ３、第４画素ＰＸ４、及び第５画素ＰＸ５と、を含んでいる。表示領域ＤＡは、複数の画素ＰＸが位置する領域である。非表示領域ＮＤＡは、第２領域Ａ２のうち複数の画素ＰＸが位置していない領域である。
【０１１５】
第１方向Ｘに並んだ複数の画素ＰＸにおいて、各画素ＰＸの開口ＡＰ（開口領域Ｊ）の第２方向Ｙの中心の位置は第１方向Ｘに揃っている。  
本実施形態においても、境界Ｂを跨ぐ各画素ＰＸの開口率を調整することにより、表示領域ＤＡのラウンド部の輪郭のギザギザを目立たなくすることができる。
【０１１６】
上記のように構成された第３の実施形態に係る表示装置ＤＳＰによれば、第２方向Ｙに隣合う一対の画素ＰＸのうち、一方の画素ＰＸの複数の副画素ＳＰは第１開口領域Ｊ１を有し、他方の画素ＰＸの複数の副画素ＳＰは第２開口領域Ｊ２を有している。複数の画素ＰＸは、第１画素ＰＸ１と、境界Ｂを跨いで位置した第２画素ＰＸ２などと、を含んでいる。色が互いに同一である副画素ＳＰに設けられた開口領域Ｊ同士を比較した場合、第２画素ＰＸ２の開口領域Ｊは、第１画素ＰＸ１の開口領域Ｊより小さい。第２画素ＰＸ２の開口率など、境界Ｂを跨ぐ各画素ＰＸの開口率を調整することができるため、上述した第１の実施形態と同様の効果を得ることができる。  
上記のことから、第３の実施形態においても、表示品位に優れた表示装置ＤＳＰを得ることができる。
【０１１７】
（第３の実施形態の変形例）  
次に、第３の実施形態の変形例について説明する。図２２は、上記第３の実施形態の変形例に係る表示装置ＤＳＰの表示パネルＰＮＬの第２画素ＰＸ２を示す平面図であり、走査線Ｇ、信号線Ｓ、画素電極ＰＥ、及び遮光層ＢＭを示す図である。ここでは、説明に必要な主要部のみを図示している。
【０１１８】
図２２に示すように、上述した第３の実施形態では、画素ＰＸに対応付けて遮光層ＢＭを部分的に拡張することで、画素ＰＸの開口率を調整したものである。しかしながら、本変形例では、遮光層ＢＭを拡張するのではなく、画素ＰＸに対応付けて画素電極ＰＥの形状を変えることで、画素ＰＸの開口率を調整するものである。画素電極ＰＥの形状は、第１画素ＰＸ１乃至第５画素ＰＸ５で異なっている。
【０１１９】
第２画素ＰＸ２の第１開口領域Ｊ１（第１開口ＡＰ１）に位置する主電極部ＰＢの第２方向Ｙの第１長さＬａ２は、第１画素ＰＸ１の第１開口領域Ｊ１（第１開口ＡＰ１）に位置する主電極部ＰＢの第２方向Ｙの第１長さＬａ１より短い。  
同様に、第３画素ＰＸ３の第１開口領域Ｊ１（第１開口ＡＰ１）に位置する主電極部ＰＢの第２方向Ｙの第１長さＬａ３は、第２画素ＰＸ２の第１開口領域Ｊ１（第１開口ＡＰ１）に位置する主電極部ＰＢの第２方向Ｙの第１長さＬａ２より短い。  
第４画素ＰＸ４の第１開口領域Ｊ１（第１開口ＡＰ１）に位置する主電極部ＰＢの第２方向Ｙの第１長さＬａ４は、第３画素ＰＸ３の第１開口領域Ｊ１（第１開口ＡＰ１）に位置する主電極部ＰＢの第２方向Ｙの第１長さＬａ３より短い。  
第５画素ＰＸ５の第１開口領域Ｊ１（第１開口ＡＰ１）に位置する主電極部ＰＢの第２方向Ｙの第１長さＬａ５は、第４画素ＰＸ４の第１開口領域Ｊ１（第１開口ＡＰ１）に位置する主電極部ＰＢの第２方向Ｙの第１長さＬａ４より短い。  
上記のように構成された第３の実施形態の変形例に係る表示装置ＤＳＰにおいても、上述した第３の実施形態と同様の効果を得ることができる。
【０１２０】
ここで、上述した第３の実施形態と第３の実施形態の変形例とを組合せてもよい。具体的には、第３の実施形態の画素ＰＸと、第３の実施形態の変形例の画素ＰＸとを組合せ、境界Ｂを跨ぐ各画素ＰＸの開口率を調整してもよい。
【０１２１】
（第４の実施形態）  
次に、第４の実施形態に係る表示装置ＤＳＰについて説明する。上述した第１の実施形態、第２の実施形態、第３の実施形態などでは、表示領域ＤＡのラウンド部Ｒ１乃至Ｒ４の輪郭のギザギザを目立たなくするため、境界Ｂを跨ぐ各画素ＰＸの開口率を調整した。しかしながら、本実施形態では、液晶層ＬＣに印加する電圧値を調整するものである。図２３は、第４の実施形態に係る表示装置ＤＳＰの表示パネルＰＮＬの表示領域ＤＡの１つのラウンド部Ｒ１を含む領域を示す平面図であり、遮光層ＢＭと、複数の画素ＰＸの開口ＡＰと、を示す図である。
【０１２２】
図２３に示すように、本実施形態では、上述した実施形態と異なり、第１画素ＰＸ１だけではなく第２画素ＰＸ２乃至第５画素ＰＸ５の各々も第１開口ＡＰ１を有している。第１画素ＰＸ１乃至第５画素ＰＸ５は、同一の開口率を有している。そこで、本実施形態では、第２画素ＰＸ２乃至第５画素ＰＸ５の画素ＰＸの単位で、画素電極ＰＥに与える画像信号（例えば、映像信号）の電圧値を一緒に調整する。境界Ｂを跨ぐ各画素ＰＸへグラデーション状に階調を変化させた画像信号を与えることにより、表示領域ＤＡのラウンド部の輪郭を電気的な駆動によりぼかしている。
【０１２３】
図２４は、上記第４の実施形態に係る表示装置ＤＳＰにおいて、画素電極ＰＥに印加する画像信号の電圧値の絶対値に対する光透過率の変化をグラフで示した図である。  
図２４に示すように、任意の副画素ＳＰが任意の光透過率Ｔ１を得る場合を想定する。この場合、任意の副画素ＳＰが第１画素ＰＸ１の副画素ＳＰである場合、電圧値Ｖ１の画像信号を第１画素ＰＸ１の画素電極ＰＥに与える。  
同様に、任意の副画素ＳＰが第２画素ＰＸ２の副画素ＳＰである場合、電圧値Ｖ１より低い電圧値Ｖ２の画像信号を第２画素ＰＸ２の画素電極ＰＥに与える。任意の副画素ＳＰが第３画素ＰＸ３の副画素ＳＰである場合、電圧値Ｖ２より低い電圧値Ｖ３の画像信号を第３画素ＰＸ３の画素電極ＰＥに与える。任意の副画素ＳＰが第４画素ＰＸ４の副画素ＳＰである場合、電圧値Ｖ３より低い電圧値Ｖ４の画像信号を第４画素ＰＸ４の画素電極ＰＥに与える。任意の副画素ＳＰが第５画素ＰＸ５の副画素ＳＰである場合、電圧値Ｖ４より低い電圧値Ｖ５の画像信号を第５画素ＰＸ５の画素電極ＰＥに与える。
【０１２４】
言い換えると、第２画素ＰＸ２乃至第５画素ＰＸ５の画素ＰＸの単位で、偏光の変調率が低くなるように調整している。第２画素ＰＸ２の各副画素における偏光の変調率を、第１画素ＰＸ１の各副画素における偏光の変調率より低くしている。  
同様に、第３画素ＰＸ３の各副画素における偏光の変調率を、第２画素ＰＸ２の各副画素における偏光の変調率より低くしている。第４画素ＰＸ４の各副画素における偏光の変調率を、第３画素ＰＸ３の各副画素における偏光の変調率より低くしている。第５画素ＰＸ５の各副画素における偏光の変調率を、第４画素ＰＸ４の各副画素における偏光の変調率より低くしている。
【０１２５】
上記の例は、液晶層ＬＣに電圧が印加されていないオフ状態で表示パネルＰＮＬが黒表示となるノーマリーブラックモードの場合に適用可能である。しかしながら、上述した手法は、液晶層ＬＣに電圧が印加されていないオフ状態で表示パネルＰＮＬが白表示となるノーマリーホワイトモードの場合でも、適用可能である。  
ノーマリーホワイトモードの場合、第２画素ＰＸ２乃至第５画素ＰＸ５の画素ＰＸの単位で、偏光の変調率が高くなるように調整すればよい。第２画素ＰＸ２の各副画素における偏光の変調率を、第１画素ＰＸ１の各副画素における偏光の変調率より高くする。  
同様に、第３画素ＰＸ３の各副画素における偏光の変調率を、第２画素ＰＸ２の各副画素における偏光の変調率より高くする。第４画素ＰＸ４の各副画素における偏光の変調率を、第３画素ＰＸ３の各副画素における偏光の変調率より高くする。第５画素ＰＸ５の各副画素における偏光の変調率を、第４画素ＰＸ４の各副画素における偏光の変調率より高くする。  
なお、表示装置ＤＳＰが反射型の液晶表示装置である場合、第２画素ＰＸ２乃至第５画素ＰＸ５の光反射率を調整すればよい。
【０１２６】
上記のように構成された第４の実施形態に係る表示装置ＤＳＰによれば、
境界Ｂを跨ぐ各画素ＰＸに対し、グラデーション状に階調を変化させた画像信号を与えている。このため、本実施形態は、上述した第１乃至第３の実施形態と同様の効果を得ることができる。  
上記のことから、第４の実施形態においても、表示品位に優れた表示装置ＤＳＰを得ることができる。
【０１２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２８】
上述したように、共通電極ＣＥは画素電極ＰＥの上方に位置していてもよい。  
図２５に示すように、画素電極ＰＥは、スリットは有していない平板状に形成され、隣合う一対の信号線Ｓの間に配置されている。共通電極ＣＥは、信号線Ｓ、及び画素電極ＰＥに重なっている。共通電極ＣＥは、画素電極ＰＥの直上にスリットＣＳＬを有している。図示した例では、共通電極ＣＥは、１つの画素電極ＰＥと対向する位置に、信号線Ｓと同様に屈曲した２本のスリットＣＳＬを有している。２本のスリットＣＳＬは、間隔をおいて第１方向Ｘに並び、それぞれ第１方向Ｘに沿って略同一の幅を有している。なお、画素電極ＰＥの形状は、図示した例に限定されるものではなく、画素ＰＸの形状などに合わせて適宜変更することができる。また、スリットＣＳＬの形状や本数などについても図示した例に限定されない。
【符号の説明】
【０１２９】
ＤＳＰ…表示装置、ＰＮＬ…表示パネル、ＳＵＢ１…第１基板、ＳＵＢ２…第２基板、
ＬＣ…液晶層、ＬＭ…液晶分子、ＤＡ…表示領域、ＮＤＡ…非表示領域、
Ａ１…第１領域、Ａ２…第２領域、Ｒ１，Ｒ２，Ｒ３，Ｒ４…ラウンド部、
Ｂ…境界、Ｂ１Ｕ，Ｂ１Ｌ…第１境界、Ｂ２…第２境界、
ＵＰＸ…単位画素、ＭＰＸ１，ＭＰＸ２…主画素、
ＰＸ，ＰＸ１，ＰＸ２，ＰＸ３，ＰＸ４，ＰＸ５，ＰＸ６…画素、
ＳＰ，ＳＰ１，ＳＰ２，ＳＰ３，ＳＰ１Ｒａ，ＳＰ１Ｒｂ，ＳＰ２Ｇａ，ＳＰ２Ｇｂ，ＳＰ３Ｂａ，ＳＰ３Ｂｂ…副画素、
ＡＰ，ＡＰ１，ＡＰ２，ＡＰ３，ＡＰ４，ＡＰ５，ＡＰ６…開口、
Ｊ１…第１開口領域、Ｊ２…第２開口領域、
ＣＥ…共通電極、ＰＥ…画素電極、ＰＢ…主電極部、
ＭＳ，ＢＭ…遮光層、ＳＨ１…第１遮光層、ＳＨ２…第２遮光層、
ＤＩａ，ＤＩｂ，ＤＩｃ，ＤＩｄ，ＤＩｅ，ＤＢ…距離、
Ｌ１ａ，Ｌ１ｂ，Ｌ１ｃ，Ｌ１ｄ，Ｌ１ｅ，Ｌ２ａ，Ｌ２ｂ，Ｌ２ｃ，Ｌ２ｄ，Ｌ２ｅ，Ｌａ１，Ｌａ２，Ｌａ３，Ｌａ４，Ｌａ５，Ｌｂ１，Ｌｂ２，Ｌｂ３，Ｌｂ４，Ｌｂ５…長さ、
Ｘ…第１方向、Ｙ…第２方向、ｄ３…第３方向、ｄ４…第4方向。
【図１】
2018091937.tif 000003
【図２】
2018091937.tif 000004
【図３】
2018091937.tif 000005
【図４】
2018091937.tif 000006
【図５】
2018091937.tif 000007
【図６】
2018091937.tif 000008
【図７】
2018091937.tif 000009
【図８】
2018091937.tif 000010
【図９】
2018091937.tif 000011
【図１０】
2018091937.tif 000012
【図１１】
2018091937.tif 000013
【図１２】
2018091937.tif 000014
【図１３】
2018091937.tif 000015
【図１４】
2018091937.tif 000016
【図１５】
2018091937.tif 000017
【図１６】
2018091937.tif 000018
【図１７】
2018091937.tif 000019
【図１８】
2018091937.tif 000020
【図１９】
2018091937.tif 000021
【図２０】
2018091937.tif 000022
【図２１】
2018091937.tif 000023
【図２２】
2018091937.tif 000024
【図２３】
2018091937.tif 000025
【図２４】
2018091937.tif 000026
【図２５】
2018091937.tif 000027